(57)【特許請求の範囲】
【請求項１】
送信電力制御を提供し、および、複数のアンテナを利用するアップリンク（ＵＬ）送信に対する送信パラメータを設定する方法において、
第１の送信ストリーム上の第１のリファレンスチャネルおよび第２の送信ストリーム上の第２のリファレンスチャネルを含む、少なくとも２つの送信ストリームを使用して、少なくとも２つのアンテナ上で、データを送信するステップであって、前記第１のリファレンスチャネルは、前記第２のリファレンスチャネルのために使用されるものとは異なるセットのプリコーディング重みによってプリコーディングされる、送信するステップと、
前記第１のリファレンスチャネルに対する第１のフィードバックを受信するステップであって、前記第１のフィードバックは、前記第１のリファレンスチャネルの電力レベルが増加されるべきか、それとも減少されるべきかを決定するのに使用され、前記第１のフィードバックは送信電力制御（ＴＰＣ）コマンドを含んでいる、受信するステップと、
前記第１のフィードバックに基づいて、前記少なくとも２つの送信ストリームの電力レベルを調整するステップと
を備えることを特徴とする方法。
【請求項２】
前記少なくとも２つの送信ストリームの前記電力レベルを調整する前記ステップは、前記第１のフィードバックに基づいて、第１の制御利得係数および第２の制御利得係数を決定するステップと、前記第１の制御利得係数に基づいて、前記第１の送信ストリームの前記電力レベルを調整するステップと、前記第２の制御利得係数に基づいて、前記第２の送信ストリームの前記電力レベルを調整するステップとを含むことを特徴とする請求項１に記載の方法。
【請求項３】
前記第１の制御利得係数および前記第２の制御利得係数は、同じであることを特徴とする請求項２に記載の方法。
【請求項４】
電力オフセットを受信するステップをさらに含むことを特徴とする請求項２に記載の方法。
【請求項５】
前記電力オフセットは、前記第１のリファレンスチャネルの信号対干渉比（ＳＩＲ）と、前記第２のリファレンスチャネルのＳＩＲとの差であることを特徴とする請求項４に記載の方法。
【請求項６】
前記電力オフセットに基づいて、前記第２の送信ストリームに関連付けられた送信パラメータを決定するステップをさらに含むことを特徴とする請求項４に記載の方法。
【請求項７】
前記電力オフセットは、レイヤ１シグナリングを介して受信されることを特徴とする請求項４に記載の方法。
【請求項８】
電力リファレンスおよび前記電力オフセットに基づいて、前記第２の送信ストリーム上のビットの数を決定するステップ
をさらに備えることを特徴とする請求項４に記載の方法。
【請求項９】
前記第１の送信ストリームに対する前記利得係数に基づいて、前記第１の送信ストリームに対するトランスポートブロックサイズを決定するステップと、前記電力オフセットに基づいて、前記第２の送信ストリームに対するトランスポートブロックサイズを決定するステップとをさらに備えることを特徴とする請求項４に記載の方法。
【請求項１０】
サービンググラントは、
Ｋｅ，ｒｅｆ，ｍを、ｍ番目のリファレンスＥ−ＴＦＣのトランスポートブロックサイズ、Ｌｅ，ｒｅｆ，ｍを、前記ｍ番目のリファレンスＥ−ＴＦＣのために使用されるＥ−ＤＰＤＣＨの数、ＳＧ´を、Ｅ−ＤＰＤＣＨに対するサービンググラント、Δｈａｒｑを、ＨＡＲＱオフセット、Ａｅｄ，ｍを、前記ｍ番目のリファレンスＥ−ＴＦＣに対する量子化振幅比とするとき、
【数１】
0005552568.tif 000192
によって決定されることを特徴とする請求項９に記載の方法。
【請求項１１】
少なくとも２つのアンテナと、
第１の送信ストリーム上の第１のリファレンスチャネルおよび第２の送信ストリーム上の第２のリファレンスチャネルを含む、少なくとも２つの送信ストリームを使用して、少なくとも２つのアンテナ上で、データを送信し、前記第１のリファレンスチャネルは、前記第２のリファレンスチャネルのために使用されるものとは異なるセットのプリコーディング重みによってプリコーディングされており、
前記第１のリファレンスチャネルの電力レベルが増加されるべきかそれとも減少されるべきかを決定するのに使用され、送信電力制御（ＴＰＣ）コマンドを含んでいる、前記第１のリファレンスチャネルに対する第１のフィードバックを受信し、
前記第１のフィードバックに基づいて、前記少なくとも２つの送信ストリームの電力レベルを調整する
ように構成されたプロセッサと
を備えたことを特徴とする無線送受信ユニット（ＷＴＲＵ）。
【請求項１２】
前記少なくとも２つの送信ストリームの前記電力レベルを調整することは、前記第１のフィードバックに基づいて、第１の制御利得係数および第２の制御利得係数を決定することと、前記第１の制御利得係数に基づいて、前記第１の送信ストリームの前記電力レベルを調整することと、前記第２の制御利得係数に基づいて、前記第２の送信ストリームの前記電力レベルを調整することとを含むことを特徴とする請求項１１に記載のＷＴＲＵ。
【請求項１３】
前記第１の制御利得係数および前記第２の制御利得係数は、同じであることを特徴とする請求項１２に記載のＷＴＲＵ。
【請求項１４】
前記プロセッサは、電力オフセットを受け取るようにさらに構成されることを特徴とする請求項１２に記載のＷＴＲＵ。
【請求項１５】
前記電力オフセットは、前記第１のリファレンスチャネルの信号対干渉比（ＳＩＲ）と、前記第２のリファレンスチャネルのＳＩＲとの差であることを特徴とする請求項１４に記載のＷＴＲＵ。
【請求項１６】
前記プロセッサは、前記電力オフセットに基づいて、前記第２の送信ストリームに関連付けられた送信パラメータを決定するようにさらに構成されることを特徴とする請求項１４に記載のＷＴＲＵ。
【請求項１７】
前記プロセッサは、レイヤ１シグナリングを介して、前記電力オフセットを受け取るようにさらに構成されることを特徴とする請求項１４に記載のＷＴＲＵ。
【請求項１８】
前記プロセッサは、電力リファレンスおよび前記電力オフセットに基づいて、前記第２の送信ストリーム上のビットの数を決定するようにさらに構成されることを特徴とする請求項１４に記載のＷＴＲＵ。
【請求項１９】
前記プロセッサは、サービンググラントに基づいて、前記第１の送信ストリームに対するトランスポートブロックサイズを決定し、第１の利得係数リファレンスおよび前記電力オフセットに基づいて、前記第２の送信ストリームに対するトランスポートブロックサイズを決定するようにさらに構成されることを特徴とする請求項１４に記載のＷＴＲＵ。
【請求項２０】
前記サービンググラントは、
Ｋｅ，ｒｅｆ，ｍを、ｍ番目のリファレンスＥ−ＴＦＣのトランスポートブロックサイズ、Ｌｅ，ｒｅｆ，ｍを、前記ｍ番目のリファレンスＥ−ＴＦＣのために使用されるＥ−ＤＰＤＣＨの数、ＳＧ´を、Ｅ−ＤＰＤＣＨに対するサービンググラント、Δｈａｒｑを、ＨＡＲＱオフセット、Ａｅｄ，ｍを、前記ｍ番目のリファレンスＥ−ＴＦＣに対する量子化振幅比とするとき、
【数２】
0005552568.tif 000193
によって決定されることを特徴とする請求項１９に記載のＷＴＲＵ。
【請求項２１】
前記電力オフセットに基づいて、前記第２の送信ストリームに関連付けられたサービンググラントを決定するステップをさらに備えることを特徴とする請求項４に記載の方法。
【請求項２２】
前記電力オフセットに基づいて、前記第２の送信ストリームに対する利得オフセットを決定するステップをさらに備えることを特徴とする請求項４に記載の方法。
【請求項２３】
前記電力リファレンスは、前記第１の送信ストリームの前記送信電力であることを特徴とする請求項８に記載の方法。
【請求項２４】
前記電力リファレンスは、前記第１のリファレンスチャネルの送信電力であることを特徴とする請求項１８に記載のＷＴＲＵ。
【請求項２５】
第１のリファレンスチャネル上でデータを送信するステップであって、前記第１のリファレンスチャネル上で送信された前記データは、第１のセットのプリコーディング重みによってプリコーディングされおよび第１の送信ストリームと関連付けられている、送信するステップと、
第２のリファレンスチャネル上でデータを送信するステップであって、前記第２のリファレンスチャネル上で送信された前記データは、第２のセットのプリコーディング重みによってプリコーディングされおよび第２の送信ストリームと関連付けられている、送信するステップと、
前記第１のリファレンスチャネルと関連付けられたフィードバックを受信するステップであって、前記フィードバックは、前記第１のリファレンスチャネルの電力レベルが増加されるべきか、それとも減少されるべきかを決定するのに使用される、受信するステップと、
前記フィードバックに基づいて、前記第２のリファレンスチャネルのための利得係数を決定するステップと
を備えることを特徴とする方法。
【請求項２６】
前記フィードバックは、送信電力制御（ＴＰＣ）コマンドを含むことを特徴とする請求項２５に記載の方法。
【請求項２７】
前記第２の送信ストリームの特性を示している品質メトリックを受信するステップをさらに備えることを特徴とする請求項２５に記載の方法。
【請求項２８】
前記第２の送信ストリームの前記特性は、前記第２のリファレンスチャネルの電力レベルであることを特徴とする請求項２７に記載の方法。
【請求項２９】
前記第２の送信ストリームの前記特性は、前記第２の送信ストリームの電力レベルであることを特徴とする請求項２７に記載の方法。
【請求項３０】
前記品質メトリックは電力オフセットであり、前記電力オフセットは、レイヤ１シグナリングを介して受信されることを特徴とする請求項２７に記載の方法。
【請求項３１】
前記電力オフセットは、前記第１のリファレンスチャネルの信号対干渉比（ＳＩＲ）と、前記第２のリファレンスチャネルのＳＩＲとの差であることを特徴とする請求項３０に記載の方法。
【請求項３２】
前記第２のリファレンスチャネルの前記利得係数に基づいて、第３のチャネルに対する利得係数を決定するステップであって、前記第３のチャネルは前記第２のセットのプリコーディング重みを使用してプリコーディングされる、決定するステップ
をさらに備えることを特徴とする請求項２５に記載の方法。
【請求項３３】
品質メトリックに基づいて、前記第２の送信ストリーム上のビットの数を決定するステップ
をさらに備えることを特徴とする請求項２５に記載の方法。
【発明の詳細な説明】
【技術分野】
【０００１】
本発明は、無線通信システムに関し、詳細には、複数のアンテナを介して送信を行う無線通信システムに関する。
【背景技術】
【０００２】
複数アンテナ技術は、セルラ通信システムにおいて、ダウンリンクデータ送信の堅牢性を改善するために、またより高いデータスループットを達成するために使用される。例えば、第３世代パートナシッププロジェクト（３ＧＰＰ）では、閉ループ送信ダイバーシティ（ｃｌｏｓｅｄ  ｌｏｏｐ  ｔｒａｎｓｍｉｔ  ｄｉｖｅｒｓｉｔｙ）が、ユニバーサル移動体通信システム（ＵＭＴＳ）のダウンリンク送信に導入され、より最近では、デュアルストリーム送信アンテナアレイ（Ｄ−ＴｘＡＡ：Ｄｕａｌ  Ｓｔｒｅａｍ  Ｔｒａｎｓｍｉｔ  Ａｎｔｅｎｎａ  Ａｒｒａｙ）多入力多出力（ＭＩＭＯ：ｍｕｌｔｉｐｌｅ−ｉｎｐｕｔ  ａｎｄ  ｍｕｌｔｉｐｌｅ−ｏｕｔｐｕｔ）技術が、より高速なデータチャネル上におけるダウンリンク高速ダウンリンクパケットアクセス（ＨＳＤＰＡ）に採用された。
【先行技術文献】
【非特許文献】
【０００３】
【非特許文献１】3GPP TS 25.214 v9.0.0、「Physical layer procedures（FDD）」
【非特許文献２】3GPP TS 25.213 v9.0.0、「spreading and modulation （FDD）」
【非特許文献３】3GPP TS 25.133 v9.0.0、「Requirements for support of radio  resource management」
【非特許文献４】3GPP TS 25.321 v9.0.0、「Medium access control（MAC）protocol  specification」
【発明の概要】
【発明が解決しようとする課題】
【０００４】
しかしながら、複数アンテナ技術によってもたらされる増強は、ＵＭＴＳ広帯域符号分割多元接続（ＷＣＤＭＡ）システムのダウンリンク方向においてのみ実施される。さらに、アップリンク送信において送信ダイバーシティおよびＭＩＭＯを実施する際の、電力リファレンス（ｐｏｗｅｒ  ｒｅｆｅｒｅｎｃｅ）のためのメカニズムは存在しない。切り替えアンテナおよびビームフォーミングなど、提案されている開ループ送信ダイバーシティ技法は、直接的な動的フィードバックをサポートできないので、準最適なソリューションにしかなり得ない。
【課題を解決するための手段】
【０００５】
本明細書では、複数のアンテナを介して送信される送信ストリームの送信電力を動的に制御するための方法およびシステムが開示される。複数のアンテナを利用するアップリンク（ＵＬ）送信に対する、送信電力制御を提供し、送信パラメータを設定するための方法は、少なくとも２つのアンテナを使用してデータを送信するステップと、第１のリファレンスチャネル（ｒｅｆｅｒｅｎｃｅ  ｃｈａｎｎｅｌ）を送信するステップと、第１のリファレンスチャネルについての第１のフィードバックを受信するステップであって、第１のフィードバックは、第１のリファレンスチャネルの電力レベルを上げるべきか、それとも下げるべきかを示している、受信するステップと、第１のフィードバックに基づいて、少なくとも２つのアンテナからの送信の電力レベルを調整するステップとを含むことができる。一方もしくは両方のストリームの、または一方もしくは両方のアンテナの送信電力を調整するために、電力リファレンスを使用することができる。第２のリファレンスチャネルを送信することもできる。第１のリファレンスチャネルは、第１の組のアンテナプリコーディング重みを用いてプリコーディングできる、第１のストリーム上で送信することができる。第２のリファレンスチャネルは、第２の組のアンテナプリコーディング重みを用いてプリコーディングできる、第２のストリーム上で送信することができる。第１の組のプリコーディング重みは、第２の組のプリコーディング重みと異なることができる。第１のリファレンスチャネルの受信信号対干渉比と第２のリファレンスチャネルの受信信号対干渉比の差を使用して、セカンダリストリーム上のチャネルの送信パラメータを設定することができる。
【０００６】
２つのリファレンスチャネルの間の信号対干渉比（ＳＩＲ：ｓｉｇｎａｌ  ｔｏ  ｉｎｔｅｒｆａｃｅ  ｒａｔｉｏ）の差は、電力オフセット（ｐｏｗｅｒ  ｏｆｆｓｅｔ）を表すことができる。電力オフセットは、セカンダリストリーム上でデータチャネルを送信するために使用される利得係数（ｇａｉｎ  ｆａｃｔｏｒ）を、第１のリファレンスチャネルの利得係数を参照して決定するために使用することができる。電力オフセットは、セカンダリストリーム上で搬送されるチャネルのサービンググラント（ｓｅｒｖｉｎｇ  ｇｒａｎｔ）またはトランスポートブロックサイズ（ｔｒａｎｓｐｏｒｔ  ｂｌｏｃｋ  ｓｉｚｅ）など、他のパラメータを決定するために使用することができる。電力オフセットは、プライマリストリームの送信電力レベルおよびプライマリストリームを介して送信されるリファレンスチャネルの利得係数に基づいて、セカンダリストリーム上のチャネルの送信パラメータを決定することを可能にすることができる。
【０００７】
複数のアンテナを利用する送信のためのセカンダリ送信ストリームの品質を測定し、単一の電力制御ループを使用して電力制御フィードバックを送信する方法も開示される。第１の送信ストリームに関連付けられた第１のリファレンスチャネルを受信することができ、第２の送信ストリームに関連付けられた第２のリファレンスチャネルも受信することができ、第２の送信ストリームの品質メトリックは、第２の送信ストリームの特性を第１の送信ストリームの特性と比較することに基づいて、決定することができ、第２の送信ストリームの品質メトリックは、セカンダリストリームについてのフィードバックとして送信することができる。セカンダリ送信ストリームの品質メトリックは、セカンダリストリーム上でデータチャネルを送信するために使用される利得係数を、第１のリファレンスチャネルの利得係数を参照して決定するために使用することができる。
【図面の簡単な説明】
【０００８】
【図１Ａ】図１Ａは、１つまたは複数の開示される実施形態を実施できる例示的な通信システムのシステム図である。
【図１Ｂ】図１Ｂは、図１Ａに示された通信システム内で使用できる例示的な無線送受信ユニット（ＷＴＲＵ）のシステム図である。
【図１Ｃ】図１Ｃは、図１Ａに示された通信システム内で使用できる例示的な無線アクセスネットワークおよび例示的なコアネットワークのシステム図である。
【図２】図２は、リファレンスチャネルがプリコーディングされた例示的なＭＩＭＯ送信機構造を示す図である。
【図３】図３は、補助チャネル上にスケーリングを含むように変更された構造を備える、リファレンスチャネルがプリコーディングされた送信ダイバーシティのための例示的なＭＩＭＯ送信機構造を示す図である。
【図４】図４は、リファレンスチャネルがプリコーディングされた別の例示的なＭＩＭＯ送信機構造を示す図である。
【図５】図５は、リファレンスチャネルの簡略化モデリングを示す図である。
【図６】図６は、例示的なチャネル推定を示す図である。
【図７】図７は、ＵＥが閉ループ送信ダイバーシティモードで構成される場合の、例示的な電力制御を示す図である。
【図８】図８は、ＵＥがアップリンクＭＩＭＯ動作を行うように構成される場合の、例示的な電力制御を示す図である。
【図９】図９は、送信機における送信電力レベルと、受信機における信号対干渉比（ＳＩＲ）とを示す図である。
【図１０】図１０は、デュアルインナループ電力制御（ＩＬＰＣ：inner loop power  control）を行う例示的なアップリンクＭＩＭＯシステムを示す図である。
【図１１】図１１は、ＩＬＰＣ動作の最中における、送信機における送信電力レベルと、受信機における信号対干渉比（ＳＩＲ）とを示す図である。
【図１２】図１２は、セカンダリストリーム上における拡張個別チャネル（Ｅ−ＤＣＨ）個別物理制御チャネル（Ｅ−ＤＰＣＣＨ）の電力リファレンスの例を示す図である。
【図１３】図１３は、セカンダリストリームについての均等電力リファレンス概念の一例を示す図である。
【図１４】図１４は、いくつかのチャネルがプリコーディングされない例示的なアップリンクＭＩＭＯシステムを示す図である。
【図１５】図１５は、リファレンスチャネルがプリコーディングされない例示的なＭＩＭＯ送信機構造を示す図である。
【図１６】図１６は、仮想利得係数リファレンス（virtual  gain  factor  reference）に基づいて、利得係数を生成する例示的なフロー図である。
【図１７】図１７は、仮想電力リファレンス（virtual  power  reference）に基づいて、利得係数を生成する例示的なフロー図である。
【発明を実施するための形態】
【０００９】
図１Ａは、１つまたは複数の開示される実施形態を実施できる例示的な通信システム１００の図である。通信システム１００は、音声、データ、ビデオ、メッセージング、放送などのコンテンツを複数の無線ユーザに提供する、多元接続システムとすることができる。通信システム１００は、複数の無線ユーザが、無線帯域幅を含むシステムリソースの共用を通して、そのようなコンテンツにアクセスできるようにすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１つまたは複数のチャネルアクセス方法を利用することができる。
【００１０】
図１Ａに示されるように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含むことができるが、開示される実施形態は、任意の数のＷＴＲＵ、基地局、ネットワーク、および／またはネットワーク要素を企図していることが理解されよう。ＷＴＲＵ  １０２ａ、１０２ｂ、１０２ｃ、１０２ｄの各々は、無線環境において動作および／または通信するように構成された任意のタイプのデバイスとすることができる。例を挙げると、ＷＴＲＵ  １０２ａ、１０２ｂ、１０２ｃ、１０２ｄは、無線信号を送信および／または受信するように構成することができ、ユーザ機器（ＵＥ）、移動局、固定もしくは移動加入者ユニット、ページャ、セルラ電話、携帯情報端末（ＰＤＡ）、スマートフォン、ラップトップ、ネットブック、パーソナルコンピュータ、無線センサ、および家電製品などを含むことができる。
【００１１】
通信システム１００は、基地局１１４ａおよび基地局１１４ｂも含むことができる。基地局１１４ａ、１１４ｂの各々は、コアネットワーク１０６、インターネット１１０、および／またはネットワーク１１２などの１つまたは複数の通信ネットワークへのアクセスを円滑化するために、ＷＴＲＵ１０２ａ、１０２ｂ、１０２ｃ、１０２ｄの少なくとも１つと無線でインタフェースを取るように構成された、任意のタイプのデバイスとすることができる。例を挙げると、基地局１１４ａ、１１４ｂは、送受信機基地局（ＢＴＳ）、ノードＢ、ｅノードＢ、ホームノードＢ、ホームｅノードＢ、サイトコントローラ、アクセスポイント（ＡＰ）、および無線ルータなどとすることができる。基地局１１４ａ、１１４ｂは各々、単一の要素として示されているが、基地局１１４ａ、１１４ｂは、任意の数の相互接続された基地局および／またはネットワーク要素を含むことができることが理解されよう。
【００１２】
基地局１１４ａは、ＲＡＮ１０４の部分とすることができ、ＲＡＮ１０４は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれることがある特定の地理的領域内で、無線信号を送信および／または受信するように構成することができる。セルは、さらにセルセクタに分割することができる。例えば、基地局１１４ａに関連付けられたセルは、３つのセクタに分割することができる。したがって、一実施形態では、基地局１１４ａは、送受信機を３つ、すなわち、セルのセクタ毎に１つずつ含むことができる。別の実施形態では、基地局１１４ａは、多入力多出力（ＭＩＭＯ）技術を利用することができ、したがって、セルのセクタ毎に複数の送受信機を利用することができる。
【００１３】
基地局１１４ａ、１１４ｂは、エアインタフェース１１６を介して、ＷＴＲＵ１０２ａ、１０２ｂ、１０２ｃ、１０２ｄの１つまたは複数と通信することができ、エアインタフェース１１６は、任意の適切な無線通信リンク（例えば、無線周波（ＲＦ）、マイクロ波、赤外線（ＩＲ）、紫外線（ＵＶ）、可視光など）とすることができる。エアインタフェース１１６は、任意の適切な無線アクセス技術（ＲＡＴ）を使用して確立することができる。
【００１４】
より具体的には、上で言及したように、通信システム１００は、多元接続システムとすることができ、ＣＤＭＡ、ＴＤＭＡ、ＦＤＭＡ、ＯＦＤＭＡ、およびＳＣ−ＦＤＭＡなどの、１つまたは複数のチャネルアクセス方式を利用することができる。例えば、ＲＡＮ  １０４内の基地局１１４ａ、およびＷＴＲＵ１０２ａ、１０２ｂ、１０２ｃは、広帯域ＣＤＭＡ（ＷＣＤＭＡ）を使用してエアインタフェース１１６を確立できる、ユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１５】
別の実施形態では、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインタフェース１１６を確立できる、進化型ＵＭＴＳ地上無線アクセス（Ｅ−ＵＴＲＡ）などの無線技術を実施することができる。
【００１６】
他の実施形態では、基地局１１４ａ、およびＷＴＲＵ１０２ａ、１０２ｂ、１０２ｃは、ＩＥＥＥ  ８０２．１６（すなわちマイクロ波アクセス用の世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭ進化型高速データレート（ＥＤＧＥ）、およびＧＳＭ  ＥＤＧＥ（ＧＥＲＡＮ）などの無線技術を実施することができる。
【００１７】
図１Ａの基地局１１４ｂは、例えば、無線ルータ、ホームノードＢ、ホームｅノードＢ、またはアクセスポイントとすることができ、職場、家庭、乗物、およびキャンパスなどの局所的エリアにおける無線接続性を円滑化するために、任意の適切なＲＡＴを利用することができる。一実施形態では、基地局１１４ｂ、およびＷＴＲＵ１０２ｃ、１０２ｄは、ＩＥＥＥ  ８０２．１１などの無線技術を実施して、無線ローカルエリアネットワーク（ＷＬＡＮ）を確立することができる。別の実施形態では、基地局１１４ｂ、およびＷＴＲＵ１０２ｃ、１０２ｄは、ＩＥＥＥ  ８０２．１５などの無線技術を実施して、無線パーソナルエリアネットワーク（ＷＰＡＮ）を確立することができる。また別の実施形態では、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０への直接的な接続を有することがある。したがって、基地局１１４ｂは、コアネットワーク１０６を介して、インターネット１１０にアクセスする必要がないことがある。
【００１８】
ＲＡＮ１０４は、コアネットワーク１０６と通信することができ、コアネットワーク１０６は、音声、データ、アプリケーション、および／またはボイスオーバインターネットプロトコル（ＶｏＩＰ）サービスをＷＴＲＵ１０２ａ、１０２ｂ、１０２ｃ、１０２ｄの１つまたは複数に提供するように構成された、任意のタイプのネットワークとすることができる。例えば、コアネットワーク１０６は、呼制御、請求サービス、モバイルロケーションベースのサービス、プリペイド通話、インターネット接続性、ビデオ配信などを提供することができ、および／またはユーザ認証など、高レベルのセキュリティ機能を実行することができる。図１Ａには示されていないが、ＲＡＮ１０４および／またはコアネットワーク１０６は、ＲＡＮ１０４と同じＲＡＴまたは異なるＲＡＴを利用する他のＲＡＮと直接的または間接的に通信できることが理解されよう。例えば、Ｅ−ＵＴＲＡ無線技術を利用できるＲＡＮ  １０４に接続するのに加えて、コアネットワーク１０６は、ＧＳＭ無線技術を利用する別のＲＡＮ（図示されず）と通信することもできる。
【００１９】
コアネットワーク１０６は、ＰＳＴＮ１０８、インターネット１１０、および／または他のネットワーク１１２にアクセスするための、ＷＴＲＵ１０２ａ、１０２ｂ、１０２ｃ、１０２ｄのためのゲートウェイとしてサービスすることもできる。ＰＳＴＮ１０８は、基本電話サービス（ＰＯＴＳ）を提供する回路交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、およびインターネットプロトコル（ＩＰ）など、共通の通信プロトコルを使用する、相互接続されたコンピュータネットワークとデバイスとからなるグローバルシステムを含むことができる。ネットワーク１１２は、他のサービスプロバイダによって所有および／または運営される有線または無線通信ネットワークを含むことができる。例えば、ネットワーク１１２は、ＲＡＮ１０４と同じＲＡＴまたは異なるＲＡＴを利用できる１つまたは複数のＲＡＮに接続された、別のコアネットワークを含むことができる。
【００２０】
通信システム１００内のＷＴＲＵ１０２ａ、１０２ｂ、１０２ｃ、１０２ｄのいくつかまたはすべては、マルチモード機能を含むことができ、すなわち、ＷＴＲＵ１０２ａ、１０２ｂ、１０２ｃ、１０２ｄは、異なる無線リンクを介して異なる無線ネットワークと通信するための複数の送受信機を含むことができる。例えば、図１Ａに示されたＷＴＲＵ１０２ｃは、セルラベースの無線技術を利用できる基地局１１４ａと通信するように、またＩＥＥＥ  ８０２無線技術を利用できる基地局１１４ｂと通信するように構成することができる。
【００２１】
図１Ｂは、例示的なＷＴＲＵ１０２のシステム図である。図１Ｂに示されるように、ＷＴＲＵ  １０２は、プロセッサ１１８と、送受信機１２０と、送信／受信要素１２２と、スピーカ／マイクロフォン１２４と、キーパッド１２６と、ディスプレイ／タッチパッド１２８と、着脱不能メモリ１３０と、着脱可能メモリ１３２と、電源１３４と、全地球測位システム（ＧＰＳ）チップセット１３６と、他の周辺機器１３８とを含むことができる。ＷＴＲＵ１０２は、一実施形態との整合性を保ちながら、上記の要素の任意のサブコンビネーションを含むことができる。
【００２２】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などとすることができる。プロセッサ１１８は、信号符号化、データ処理、電力制御、入出力処理、および／またはＷＴＲＵ１０２が無線環境で動作できるようにする他の任意の機能を実行することができる。プロセッサ１１８は、送受信機１２０に結合することができ、送受信機１２０は、送信／受信要素１２２に結合することができる。図１Ｂは、プロセッサ１１８と送受信機１２０を別々のコンポーネントとして示しているが、プロセッサ１１８と送受信機１２０は、電子パッケージまたはチップ内に一緒に統合できることが理解されよう。
【００２３】
送信／受信要素１２２は、エアインタフェース１１６を介して、基地局（例えば基地局１１４ａ）に信号を送信し、または基地局から信号を受信するように構成することができる。例えば、一実施形態では、送信／受信要素１２２は、ＲＦ信号を送信および／または受信するように構成されたアンテナとすることができる。別の実施形態では、送信／受信要素１２２は、例えば、ＩＲ、ＵＶ、または可視光信号を送信および／または受信するように構成された放射器／検出器とすることができる。また別の実施形態では、送信／受信要素１２２は、ＲＦ信号と光信号の両方を送信および受信するように構成することができる。送信／受信要素１２２は、無線信号の任意の組み合わせを送信および／または受信するように構成できることが理解されよう。
【００２４】
加えて、図１Ｂでは、送信／受信要素１２２は単一の要素として示されているが、ＷＴＲＵ１０２は、任意の数の送信／受信要素１２２を含むことができる。より具体的には、ＷＴＲＵ１０２は、ＭＩＭＯ技術を利用することができる。したがって、一実施形態では、ＷＴＲＵ１０２は、エアインタフェース１１６を介して無線信号を送信および受信するための２つ以上の送信／受信要素１２２（例えば複数のアンテナ）を含むことができる。
【００２５】
送受信機１２０は、送信／受信要素１２２によって送信される信号を変調し、送信／受信要素１２２によって受信された信号を復調するように構成することができる。上で言及したように、ＷＴＲＵ  １０２は、マルチモード機能を有することができる。したがって、送受信機１２０は、ＷＴＲＵ１０２が、例えばＵＴＲＡおよびＩＥＥＥ  ８０２．１１などの複数のＲＡＴを介して通信できるようにするための、複数の送受信機を含むことができる。
【００２６】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合することができ、それらからユーザ入力データを受け取ることができる。プロセッサ１１８は、スピーカ／マイクロフォン１２４、キーパッド１２６、および／またはディスプレイ／タッチパッド１２８にユーザデータを出力することもできる。加えて、プロセッサ１１８は、着脱不能メモリ１０６および／または着脱可能メモリ１３２など、任意のタイプの適切なメモリから情報を入手することができ、それらにデータを記憶することができる。着脱不能メモリ１０６は、ランダムアクセスメモリ（ＲＡＭ）、リードオンリメモリ（ＲＯＭ）、ハードディスク、または他の任意のタイプのメモリ記憶デバイスを含むことができる。着脱可能メモリ１３２は、加入者識別モジュール（ＳＩＭ）カード、メモリスティック、およびセキュアデジタル（ＳＤ）メモリカードなどを含むことができる。他の実施形態では、プロセッサ１１８は、ＷＴＲＵ  １０２上に物理的に配置されたメモリではなく、サーバまたはホームコンピュータ（図示されず）などの上に配置されたメモリから情報を入手することができ、それらにデータを記憶することができる。
【００２７】
プロセッサ１１８は、電源１３４から電力を受け取ることができ、ＷＴＲＵ１０２内の他のコンポーネントへの電力の分配および／または制御を行うように構成することができる。電源１３４は、ＷＴＲＵ１０２に給電するための任意の適切なデバイスとすることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含むことができる。
【００２８】
プロセッサ１１８は、ＧＰＳチップセット１３６に結合することもでき、ＧＰＳチップセット１３６は、ＷＴＲＵ１０２の現在位置に関する位置情報（例えば経度および緯度）を提供するように構成することができる。ＧＰＳチップセット１３６からの情報に加えて、またはその代わりに、ＷＴＲＵ１０２は、基地局（例えば基地局１１４ａ、１１４ｂ）からエアインタフェース１１６を介して位置情報を受け取ることができ、および／または２つ以上の近くの基地局から受信した信号のタイミングに基づいて、自らの位置を決定することができる。ＷＴＲＵ１０２は、一実施形態との整合性を保ちながら、任意の適切な位置決定方法を用いて、位置情報を獲得できることが理解されよう。
【００２９】
プロセッサ１１８は、他の周辺機器１３８にさらに結合することができ、他の周辺機器１３８は、追加的な特徴、機能、および／または有線もしくは無線接続性を提供する、１つまたは複数のソフトウェアモジュールおよび／またはハードウェアモジュールを含むことができる。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、およびインターネットブラウザなどを含むことができる。
【００３０】
図１Ｃは、一実施形態による、ＲＡＮ１０４およびコアネットワーク１０６のシステム図である。上で言及したように、ＲＡＮ１０４は、ＵＴＲＡ無線技術を利用して、エアインタフェース１１６を介してＷＴＲＵ１０２ａ、１０２ｂ、１０２ｃと通信することができる。ＲＡＮ１０４は、コアネットワーク１０６とも通信することができる。図１Ｃに示されるように、ＲＡＮ１０４は、ノードＢ  １４０ａ、１４０ｂ、１４０ｃを含むことができ、ノードＢ  １４０ａ、１４０ｂ、１４０ｃは、各々が、エアインタフェース１１６を介してＷＴＲＵ１０２ａ、１０２ｂ、１０２ｃと通信するための１つまたは複数の送受信機を含むことができる。ノードＢ  １４０ａ、１４０ｂ、１４０ｃは、各々を、ＲＡＮ１０４内の特定のセル（図示されず）に関連付けることができる。ＲＡＮ１０４は、ＲＮＣ  １４２ａ、１４２ｂも含むことができる。ＲＡＮ１０４は、一実施形態との整合性を保ちながら、任意の数のノードＢおよびＲＮＣを含むことができることが理解されよう。
【００３１】
図１Ｃに示されるように、ノードＢ  １４０ａ、１４０ｂは、ＲＮＣ１４２ａと通信することができる。加えて、ノードＢ  １４０ｃは、ＲＮＣ１４２ｂと通信することができる。ノードＢ  １４０ａ、１４０ｂ、１４０ｃは、Ｉｕｂインタフェースを介して、それぞれのＲＮＣ１４２ａ、１４２ｂと通信することができる。ＲＮＣ１４２ａ、１４２ｂは、Ｉｕｒインタフェースを介して、互いに通信することができる。ＲＮＣ１４２ａ、１４２ｂの各々は、それが接続されたそれぞれのノードＢ  １４０ａ、１４０ｂ、１４０ｃを制御するように構成することができる。加えて、ＲＮＣ１４２ａ、１４２ｂの各々は、アウタループ電力制御、負荷制御、アドミッションコントロール、パケットスケジューリング、ハンドオーバ制御、マクロダイバーシティ、セキュリティ機能、およびデータ暗号化など、他の機能を実施またはサポートするように構成することができる。
【００３２】
図１Ｃに示されるコアネットワーク１０６は、メディアゲートウェイ（ＭＧＷ）１４４、モバイル交換センタ（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。上記の要素の各々は、コアネットワーク１０６の部分として示されているが、これらの要素は、どの１つをとっても、コアネットワーク運営体とは異なる主体によって所有および／または運営できることが理解されよう。
【００３３】
ＲＡＮ１０４内のＲＮＣ１４２ａは、ＩｕＣＳインタフェースを介して、コアネットワーク１０６内のＭＳＣ１４６に接続することができる。ＭＳＣ１４６は、ＭＧＷ１４４に接続することができる。ＭＳＣ１４６とＭＧＷ１４４は、ＰＳＴＮ１０８などの回路交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を円滑化することができる。
【００３４】
ＲＡＮ１０４内のＲＮＣ１４２ａは、ＩｕＰＳインタフェースを介して、コアネットワーク１０６内のＳＧＳＮ１４８にも接続することができる。ＳＧＳＮ１４８は、ＧＧＳＮ  １５０に接続することができる。ＳＧＳＮ１４８とＧＧＳＮ１５０は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を円滑化することができる。
【００３５】
上で言及したように、コアネットワーク１０６は、ネットワーク１１２にも接続することができ、ネットワーク１１２は、他のサービスプロバイダによって所有および／または運営される他の有線または無線ネットワークを含むことができる。
【００３６】
アップリンク方向における閉ループ送信ダイバーシティおよび／またはＭＩＭＯの送信電力を制御するには、電力レベルを参照するための新しい方法を定める必要があることがある。例えば、アップリンク受信機における高速アップリンクパケットアクセス（ＨＳＵＰＡ）の電力リファレンスおよび簡単なチャネル推定を可能にする、ＭＩＭＯプリコーディングを施された電力リファレンスチャネルを用いる、送信機構造を設計する必要があることがある。異なるプリコーディングを施されたチャネルの送信チャネル特性は、性質が異なるので、個別物理制御チャネル（ＤＰＣＣＨ）などのリファレンスチャネルをデータチャネルのための電力制御インジケータとして使用するには、ＵＭＴＳにおいて使用される電力リファレンスとは異なる方法で、これを達成する必要があることがある。
【００３７】
ＵＭＴＳでは、データチャネルの電力レベルを制御するために、ユーザ機器（ＵＥ）は、アップリンクのＤＰＣＣＨ上で継続的に送信することができる。ＤＰＣＣＨは、パイロット情報に加えて、電力制御コマンド情報も搬送することができる。ノードＢは、ダウンリンク上において、例えば、フラクショナル個別物理チャネル（Ｆ−ＤＰＣＨ）上で搬送できる送信電力制御（ＴＰＣ）コマンドを介して、ＤＰＣＣＨ電力レベルを制御することができる。ノードＢは、ＤＰＣＣＨの信号対干渉および雑音比（ＳＩＮＲ：ｓｉｇｎａｌ  ｔｏ  ｉｎｔｅｒｆｅｒｅｎｃｅ  ｐｌｕｓ  ｎｏｉｓｅ  ｒａｔｉｏ）が目標レベルに維持されることを保証するために、インナループ電力制御メカニズムを介して、ＤＰＣＣＨの電力を調整することができる。この目標レベルは、無線ネットワークコントローラ（ＲＮＣ）によって測定されるＵＥのブロック誤り率によって起動され得る、アウタループ電力制御メカニズムを介して決定することができる。
【００３８】
ＵＭＴＳでは、他のアップリンクチャネルの電力は、リファレンス電力レベルとしての役割を果たすことができるＤＰＣＣＨ電力の上に適用される利得係数に基づいて、計算することができる。この手法は、ＤＰＣＣＨに電力制御を施すことと組み合わせて、ＵＥによって送信されるチャネルが、ノードＢにおいて、予測可能な信号対干渉および雑音比（ＳＩＮＲ）で受信されることを保証することができる。その場合、他のチャネルのＳＩＮＲレベルは、ＤＰＣＣＨ目標ＳＩＮＲに依存することができ、また各チャネルの電力オフセットにも依存することができる。
【００３９】
ＨＳＵＰＡでは、アップリンク拡張個別チャネル（Ｅ−ＤＣＨ）は、拡張ＤＰＣＣＨ（Ｅ−ＤＰＣＣＨ）制御部と、拡張個別物理データチャネル（Ｅ−ＤＰＤＣＨ）データ部とを含むことができ、タイムスロット間隔毎に、アップリンクＤＰＣＣＨと関連付けて電力制御を行うことができる。一実施形態では、例えば、目標誤り率などの目標ＳＩＮＲは、ＤＰＣＣＨチャネルのインナまたはアウタ電力制御ループを介して、あらかじめ達成しておくことができる。高速データ送信のためのＥ−ＤＣＨの性能は、ＤＰＣＣＨの電力に対する電力オフセットを指定することによって、所望のレベルに制御することができる。例えば、Ｅ−ＤＰＤＣＨの利得係数（βed）およびＥ−ＤＰＣＣＨの利得係数（βec）は、ＤＰＣＣＨのリファレンス電力スケーリングに基づいて、
βec＝βc・Ａec      （式１）
βed,ref＝βc・Ａdc      （式２）
と計算することができ、ここで、βcは、ＤＰＣＣＨの利得係数であり、ＡecおよびＡdcは、ネットワークによって伝えられるスケーリングオフセットパラメータとすることができる。Ｅ−ＤＰＤＣＨ利得係数βedは、Ｅ−ＤＰＤＣＨのリファレンス利得係数とすることができるβed,refに基づいて、決定することができる。βedは、拡張トランスポートフォーマットコンビネーション（Ｅ−ＴＦＣ）選択結果、および／またはハイブリッド自動再送要求（ＨＡＲＱ）オフセットに基づいて、変化することがある。第ｉのＥ−ＴＦＣの場合（ｉは整数とすることができる）、一時変数βed,i,harqは、より高位のレイヤによって伝えられるＥ−ＤＰＤＣＨ電力外挿公式を使用して、以下に示すように決定することができ、
【００４０】
【数１】
0005552568.tif 000002
【００４１】
ここで、Ｌe,refは、リファレンスＥ−ＴＦＣのために使用されるＥ−ＤＰＤＣＨの数とすることができ、Ｌe,iは、第ｉのＥ−ＴＦＣのために使用されるＥ−ＤＰＤＣＨの数とすることができ、Ｋe,refは、リファレンスＥ−ＴＦＣのトランスポートブロックサイズとすることができ、Ｋe,iは、第ｉのＥ−ＴＦＣのトランスポートブロックサイズとすることができ、Δharqは、ＨＡＲＱオフセットとすることができる。あるいは、βed,i,harqは、より高位のレイヤによって伝えられるＥ−ＤＰＤＣＨ電力内挿公式（式４）によって、以下に示すように決定することができ、
【００４２】
【数２】
0005552568.tif 000003
【００４３】
例外として、
【００４４】
【数３】
0005552568.tif 000004
【００４５】
である場合は、βed,i,harqは、０に設定することができ、ここで、βed,ref,1は、プライマリリファレンスＥ−ＴＦＣのリファレンス利得係数とすることができ、βed,ref,2は、セカンダリリファレンスＥ−ＴＦＣのリファレンス利得係数とすることができ、Ｌe,ref,1は、プライマリリファレンスＥ−ＴＦＣのために使用されるＥ−ＤＰＤＣＨの数とすることができ、Ｌe,ref,2は、セカンダリリファレンスＥ−ＴＦＣのために使用されるＥ−ＤＰＤＣＨの数とすることができ、Ｌe,iは、第ｉのＥ−ＴＦＣのために使用されるＥ−ＤＰＤＣＨの数とすることができ、Ｋe,ref,1は、プライマリリファレンスＥ−ＴＦＣのトランスポートブロックサイズとすることができ、Ｋe,ref,2は、セカンダリリファレンスＥ−ＴＦＣのトランスポートブロックサイズとすることができ、Ｋe,iは、第ｉのＥ−ＴＦＣのトランスポートブロックサイズとすることができる。
【００４６】
アップリンクＨＳＵＰＡ上における閉ループ送信ダイバーシティまたはＭＩＭＯを設計するために、新しいリファレンスメカニズムを設計する必要があることがある。提案するソリューションが以下で説明されるが、そのソリューションでは、ＤＰＣＣＨリファレンスチャネルに、プリコーディングを施すことも施さないこともある。ＤＰＣＣＨがプリコーディングされる場合、プリコーディング重みによって影響されることなく、２つ以上のアンテナを通して、例えばＤＰＣＣＨなどのリファレンスチャネルを送信することを可能にできる、ソリューションを採用することができる。上で説明したＳＩＮＲ／誤り率制御メカニズムは、ＤＰＣＣＨチャネルとＥ−ＤＣＨチャネルが密接に関連するシナリオにおいて、便利なことがある。例えば、どちらも同じチャネル状態および干渉状態を経験することができ、使用されているアップリンク送信機／受信機構造が類似している。しかし、ＤＰＣＣＨチャネルとＥ−ＤＣＨチャネルが密接に関連しない場合に、ＳＩＮＲ／誤り率制御メカニズムを使用すると、それにより、Ｅ−ＤＣＨ上における過剰なビット誤り、またはＵＥ送信電力の過少利用がもたらされることがある。言い換えると、Ｅ−ＤＣＨのための電力リファレンスリンクが断たれることがあり、それにより、プリコーディングされる経路上のすべての物理チャネルの送信品質を制御することが困難なものになることがある。加えて、アップリンクサービンググラントメカニズムは、ＤＰＣＣＨによって提供されるリファレンス電力に基づいていることがあるので、アップリンクリソース割り当て手順も影響を受けることがある。ＤＰＣＣＨがプリコーディングされず、アップリンク受信機における直接的なチャネル推定が望まれる場合も、同様の問題が発生することがある。
【００４７】
最初に、ＤＰＣＣＨがプリコーディングされ、アップリンクデータチャネルの複数のストリームについての電力制御および電力リファレンスを提供する、実施形態が開示される。ＤＰＣＣＨがプリコーディングされる設計の説明に続いて、プリコーディングされないＤＰＣＣＨに基づいて電力リファレンスを提供するための、実施形態が開示される。各実施形態のために開示されるトピックの多くは、ＤＰＣＣＨをプリコーディングできる状況にも、またはＤＰＣＣＨをプリコーディングできない状況にも適用できることが理解できよう。したがって、本明細書に含まれる説明は、いずれか特定の実施形態に限定したものであることは意図しておらず、特定の実施形態のために説明された態様は、他の例および設計方式にも適用可能とすることができる。
【００４８】
図２は、例示的なＭＩＭＯ送信機構造のシステムブロック図を示している。図２に示されるように、２つのアップリンクアンテナを介して送信される信号の２つのストリームが存在することができる。別の実施形態では、３つ以上のストリームを実施することができる。説明を簡潔にするため、以下の例は、２つのストリームに関して説明される。示されるように、電力リファレンスチャネルＤＰＣＣＨ２０２は、複素数値を取り得る１組のＭＩＭＯプリコーディング係数ｗ1、ｗ2、ｗ3、ｗ4によってプリコーディングすることができる。例えば、ＤＰＣＣＨ２０２は、ＭＩＭＯプリコーディング係数ｗ1およびｗ2によってプリコーディングすることができる。ＤＰＣＣＨ２０２は、プリコーダ２１０に供給される前に、拡散操作によって処理することができる。拡散操作は、チャネライゼーションコードＣcによる拡散、利得係数βcによるスケーリング、および／またはＩ／ＱインデックスｉｑcによるＩ／Ｑ分岐選択（ｂｒａｎｃｈ  ｓｅｌｅｃｔｉｏｎ）を含むことができる。プリコーディングされる他のチャネル２０６も、プライマリＭＩＭＯストリーム上で搬送することができる。例えば、プリコーディングされる他のチャネル２０６は、１組のＭＩＭＯプリコーディング係数ｗ1およびｗ2によってプリコーディングすることができる。
【００４９】
図２に示されるように、ＭＩＭＯチャネルの第２のストリーム上の補助パイロット２０４も、プリコーディングすることができる。例えば、補助パイロット２０４は、１組のＭＩＭＯプリコーディング係数ｗ3およびｗ4によってプリコーディングすることができる。補助パイロット２０４は、補助チャネル上で搬送することができ、チャネル推定を円滑化することができる。一実施形態では、補助パイロット２０４は、別の１組の制御情報を搬送するセカンダリＤＰＣＣＨチャネルとすることができる。一実施形態では、補助パイロット２０４は、ＤＰＣＣＨ  ２０２と同じパイロットシーケンスを使用することができる。別の実施形態では、補助パイロット２０４は、ＤＰＣＣＨ  ２０２とは異なるパイロットシーケンスを使用することができる。補助パイロット２０４からの信号は、ＤＰＣＣＨ  ２０２と同じ拡散操作によって処理することができ、プリコーダ２１０に供給することができる。あるいは、図２に示されるように、補助パイロットは、Ｃcとは異なり得る第２のチャネライゼーションコードＣaを使用して、拡散することができる。示されるように、補助パイロット２０４からの信号とＤＰＣＣＨ２０２からの信号は、プリコーダ２１０の２つの別個の入力に供給することができる。プリコーディングされる他のチャネル２０８も、セカンダリＭＩＭＯストリーム上で搬送することができる。例えば、プリコーディングされる他のチャネル２０８は、１組のＭＩＭＯプリコーディング係数ｗ3およびｗ4によってプリコーディングすることができる。
【００５０】
プリコーディング係数ｗ1、ｗ2、ｗ3、ｗ4は、リバースフィードバックチャネルを介してノードＢから受信することができ、またはＵＥにおいて利用可能な情報を使用して、送信機によって計算することができる。例えば、プリコーディング重みは、行列形式で表すことができる。
【００５１】
【数４】
0005552568.tif 000005
【００５２】
一実施形態では、Ｗは、ユニタリとすることができる。別の実施形態では、ＷHＷ＝Ｉである。
【００５３】
示されるように、プリコーディングが施された後、２つの信号は、スクランブリングコードＳcを使用してスクランブルすることができ、送信するためにアンテナ２１２およびアンテナ２１４に回送することができる。プリコーディングされる他のチャネル２０６およびプリコーディングされる他のチャネル２０８などの他のアップリンクチャネルは、ＤＰＤＣＨ、ＨＳ−ＤＰＣＣＨ、Ｅ−ＤＰＣＣＨ、またはＥ−ＤＰＤＣＨなどを含むことができるが、それらに限定されない。
【００５４】
図３は、リファレンスチャネルがプリコーディングされた、送信ダイバーシティのための別の例示的なＭＩＭＯ送信機構造を示している。示されるように、ＤＰＣＣＨ  ３０２は、プリコーディングされた他のチャネル３０６と組み合わされる前に、拡散操作によって処理することができる。ＤＰＣＣＨ３０２とプリコーディングされる他のチャネル３０６は、プリコーダ３１０に入力することができる。一例では、ＤＰＣＣＨ  ３０２とプリコーディングされる他のチャネル３０６は、１組のプリコーディング重みｗ1およびｗ2によってプリコーディングすることができる。補助パイロット３０４は、チャネライゼーションコードＣaによって拡散することができ、Ｃaは、ＤＰＣＣＨ  ３０２のために使用されるチャネライゼーションコード（Ｃc）と同じであることも、または異なることもできる。この実施形態では、補助パイロット３０４は、プリコーダ３１０に入力される前に、プリコーディングされる他のチャネルと組み合わされない。例えば、補助パイロット３０４は、１組のプリコーディング重みｗ3およびｗ4によってプリコーディングすることができる。示されるように、プリコーディングが施された後、２つの信号は、スクランブリングコードＳcを使用してスクランブルすることができ、送信するためにアンテナ３１２およびアンテナ３１４に回送することができる。例示的な一実施形態では、補助パイロット３０４は、拡散操作の前に適用される追加の利得係数βaを有することができる。追加の利得係数は、プライマリストリームを参照した、補助パイロット３０４の電力の制御を可能にすることができる。
【００５５】
図４は、リファレンスチャネルがプリコーディングされた、別の例示的なＭＩＭＯ送信機構造を示している。ＤＰＣＣＨ４０２は、プリコーディングされる他のチャネル４０６と組み合わされる前に、拡散操作によって処理することができる。その後、ＤＰＣＣＨ  ４０２とプリコーディングされる他のチャネル４０６は、プリコーダ４１０に入力される。例えば、ＤＰＣＣＨ４０２とプリコーディングされる他のチャネル４０６は、１組のプリコーディング重みｗ1およびｗ2によってプリコーディングすることができる。例示的な一実施形態では、補助チャネル４０４およびセカンダリストリーム上のプリコーディングされた他のチャネル４０８には、拡散操作の前に、追加の利得係数βaを適用することができる。追加の利得係数は、プライマリストリームを参照した、補助チャネル４０４の電力の制御を可能にすることができる。補助チャネル４０４も、拡散操作によって処理してから、セカンダリストリーム上のプリコーディングされる他のチャネル４０８と組み合わせて、プリコーダ４１０に入力することができる。例えば、補助チャネル４０４およびセカンダリストリーム上のプリコーディングされる他のチャネル４０８は、１組のプリコーディング重みｗ3およびｗ4によってプリコーディングすることができる。その後、プリコーダ４１０の出力は、スクランブリングコードＳcを使用してスクランブルすることができ、送信するためにアンテナ４１２およびアンテナ４１４に送ることができる。
【００５６】
図５は、リファレンスチャネルの簡略化モデリングを示している。拡散操作とプリコーディング操作の順序が入れ替わっているが、これらの操作は、図２〜図４に示された操作と数学的に等価であり得ることを理解されたい。例示的な一実施形態では、ｍは、シンボルに基づいて動くインデックスとすることができ、ｎは、チップに基づいて動くインデックスとすることができる。ｍとｎの間の関係は、以下の通りとすることができ、
ｎ＝ｎ’＋ＳＦｍ，  ｎ’＝０，１，２，．．．，ＳＦ−１  （式７）
ここで、ＳＦは、拡散係数とすることができ、ｎ’＝ｍｏｄ（ｎ，ＳＦ）である。図５に示されるように、ｓ1（ｍ）は、ＤＰＣＣＨチャネルを表すことができ、ｓ2（ｍ）は、補助チャネル信号を表すことができる。プリコーダ５１０は、プライマリプリコーダ入力５０２と、セカンダリプリコーダ入力５０４の、２つの入力を含むことができる。ｓ1（ｍ）は、プライマリプリコーダ入力５０２における信号とすることができ、ｓ2（ｍ）は、セカンダリプリコーダ入力５０４における信号とすることができる。ｓ’1（ｍ）は、プライマリプリコーダ出力５０６における信号とすることができ、ｓ’2（ｍ）は、セカンダリプリコーダ出力５０８における信号とすることができる。Ｃ（ｎ）によって表すことができる拡散操作は、チャネライゼーション、スケーリング、および／またはＩ／Ｑ分岐選択を組み合わせたものとすることができる。例えば、Ｃ（ｎ）＝Ｃc（ｎ）×βc×ｉｑcである。スクランブル操作は、Ｓc（ｎ）をそれぞれの信号に乗算することによって実行することができる。アンテナ５１２におけるプライマリ出力信号は、ｘ1（ｎ）によって表すことができる。アンテナ５１４におけるセカンダリ出力信号は、ｘ2（ｎ）によって表すことができる。図５に示される送信機構造に基づいて、プライマリ出力信号ｘ1（ｎ）およびセカンダリ出力信号ｘ2（ｎ）は、
ｘ1（ｎ）＝Ｓｃ（ｎ）Ｃ（ｎ’）ｓ’1（ｍ）＝Ｓｃ（ｎ）Ｃ（ｎ’）［ｓ1（ｍ）ｗ1＋ｓ2（ｍ）ｗ3］  （式８）
ｘ2（ｎ）＝Ｓｃ（ｎ）Ｃ（ｎ’）ｓ’2（ｍ）＝Ｓｃ（ｎ）Ｃ（ｎ’）［ｓ1（ｍ）ｗ2＋ｓ2（ｍ）ｗ4］  （式９）
と記述することができ、ここで、ｎ’＝ｍｏｄ（ｎ，ＳＦ）、
【００５７】
【数５】
0005552568.tif 000006
【００５８】
であり、
【００５９】
【数６】
0005552568.tif 000007
【００６０】
は、ｘ以下の整数のうちｘに最も近い整数を表すことができる。
【００６１】
ＤＰＣＣＨ内に含まれるパイロット信号は、パイロット信号のパターンが送信機と受信機の両方に知られているので、リファレンスとして使用することができる。補助チャネルを導入する場合、パイロットパターンは、ＭＩＭＯチャネルの空間的特性を完全に探究し、決定できるなど、ある特性を所有することができる。
【００６２】
ｍ∈Ｐである場合、ｓp1（ｍ）は、ＤＰＣＣＨ上で送信されるパイロット信号を表すｓ1（ｍ）の部分とすることができると仮定することができる。Ｐは、パイロットに関連する無線フレーム内のすべてのシンボルインデックスを含む集合とすることができる。補助チャネル内のパイロット信号ｓp2（ｍ）は、同じシンボルインデックスに従って定義することができ、ｓp1（ｍ）と直交することができ、例えば
【００６３】
【数７】
0005552568.tif 000008
【００６４】
【数８】
0005552568.tif 000009
【００６５】
であり、ここで、Ｍは、集合Ｐ内におけるシンボルの数とすることができる。ｓ1（ｍ）は、プライマリプリコーダ入力５０２における信号とすることができ、ｓ2（ｍ）は、セカンダリプリコーダ入力５０４における信号とすることができる。行列形式では、式１０および式１１は、
【００６６】
【数９】
0005552568.tif 000010
【００６７】
という形に表すことができる。プリコーディング行列Ｗがユニタリである場合、プリコーディング処理の後も、パイロット信号の間の関係は、依然として保たれ、それらの関係は、
【００６８】
【数１０】
0005552568.tif 000011
【００６９】
と表すことができ、ここで、ｓ’p1（ｍ）は、プライマリプリコーダ出力５０６における信号の部分とすることができ、ｓ’p2（ｍ）は、セカンダリプリコーダ出力５０８における信号の部分とすることができる。式１３で記述される特性は、以下で説明するように、チャネル特性を計算するのに役立つことがある。別の実施形態では、補助チャネル上のパイロット信号ｓp2（ｍ）は、ｓp1（ｍ）と直交する代わりに、ｓp1（ｍ）と直交することができ、例えば、
【００７０】
【数１１】
0005552568.tif 000012
【００７１】
であり、ここで、βαは、補助パイロットに適用されるスケーリング係数とすることができる。
【００７２】
図６は、チャネル特性を推定するためのモデルを開発するために使用できる、ＭＩＭＯ送信機および受信機のモデルの例示的なブロック図を示している。図６に示されるように、ｓ1（ｍ）は、ＤＰＣＣＨチャネル信号を表すことができ、ｓ2（ｍ）は、補助チャネル信号を表すことができる。プリコーダ６１０は、プライマリプリコーダ入力６０２と、セカンダリプリコーダ入力６０４の、２つの入力を含むことができる。ｓ1（ｍ）は、プライマリプリコーダ入力６０２における信号とすることができ、ｓ2（ｍ）は、セカンダリプリコーダ入力６０４における信号とすることができる。ｓ’1（ｍ）は、プライマリプリコーダ出力６０６における信号とすることができ、ｓ’2（ｍ）は、セカンダリプリコーダ出力６０８における信号とすることができる。Ｃ（ｎ）によって表すことができる拡散操作は、チャネライゼーション、スケーリング、および／またはＩ／Ｑ分岐選択を組み合わせたものとすることができる。例えば、Ｃ（ｎ）＝Ｃc（ｎ）×βc×ｉｑcである。スクランブル操作は、Ｓc（ｎ）をそれぞれの信号に乗算することによって実行することができる。アンテナ６１２におけるプライマリ出力信号６２０は、ｘ1（ｎ）によって表すことができる。アンテナ６１４におけるセカンダリ出力信号６１８は、ｘ2（ｎ）によって表すことができる。
【００７３】
図６に示されるように、ＭＩＭＯチャネルは、各個別経路ｈ11（ｌ）、ｈ12（ｌ）、ｈ21（ｌ）、ｈ22（ｌ）についてのチャネル応答によって特徴付けることができ、ここで、ｌは、サンプルインデックスとすることができる。受信機のアンテナ６２２において受信されるプライマリ受信信号６２６は、ｒ1（ｎ）によって表すことができる。受信機のアンテナ６２４において受信されるセカンダリ受信信号６２８は、ｒ2（ｎ）によって表すことができる。ｒ1（ｎ）とｒ2（ｎ）は、チャネル推定器６３０に入力することができる。受信信号は、
【００７４】
【数１２】
0005552568.tif 000013
【００７５】
【数１３】
0005552568.tif 000014
【００７６】
と表すことができ、ここで、Ｌは、ＭＩＭＯチャネルの長さとすることができる。加えて、分析を簡略化するために、雑音項を省略することができる。
【００７７】
従来の相関構造を用いてチャネル推定が実施される場合、受信データ信号ｒ1（ｎ）およびｒ2（ｎ）は、送信機および受信機の両方に知られているシーケンスと相関させ、平均をとることができる。一般に、このシーケンスは、この例ではＤＰＣＣＨおよび補助パイロットチャネル上で搬送されるパイロット情報を含むことができる。特に、受信アンテナおよび送信アンテナのためのインデックスを、それぞれ、ｉ＝１，２およびｊ＝１，２で表す。相関器の出力は、以下のように表すことができる。
【００７８】
【数１４】
0005552568.tif 000015
【００７９】
式８のｘ1（ｎ）についての式と式９のｘ2（ｎ）についての式を式（１７）の結果に代入することによって、以下の式を導出することができる。
【００８０】
【数１５】
0005552568.tif 000016
【００８１】
式８、式９、およびスクランブラ特性を使用すると、δ（ｌ−ｌ’）は、
【００８２】
【数１６】
0005552568.tif 000017
【００８３】
と表すことができる。式１９は、
【００８４】
【数１７】
0005552568.tif 000018
【００８５】
とも表すことができる。最後に、式２０の結果を式１７に代入すると、
【００８６】
【数１８】
0005552568.tif 000019
【００８７】
が得られ、ここでは、上で説明されたｓ’1（ｍ）およびｓ’2（ｍ）に関連する直交特性が適用されている。上述の論証に基づいて、図１〜図６に示された送信機構造は、偏りのない方式で、チャネル推定を実行するように構成することができることを理解されたい。
【００８８】
図７は、ＵＥが閉ループ送信ダイバーシティモードで構成される場合の、例示的な電力制御を示している。図７に示されるように、受信機７３０は、アンテナ７２２に結合できるプライマリ受信機入力７２６を含むことができる。受信機７３０は、アンテナ７２４に結合できるセカンダリ受信機入力７２８も含むことができる。プライマリ受信機入力７２６における信号は、ｒ1（ｎ）によって表すことができる。セカンダリ受信機入力７２８における信号は、ｒ2（ｎ）によって表すことができる。ＵＥ電力制御は、受信機出力７３２における信号である受信したＤＰＣＣＨに適用される電力制御ループによって、実施することができる。一実施形態では、ＤＰＣＣＨに適用できる単一の電力制御ループ７４２を実施することができる。受信するＤＰＣＣＨは、ビーム形成係数によって、例えば、１組のビーム形成係数ｗ1およびｗ2によってプリコーディングすることができる。ＤＰＣＣＨチャネルの信号対干渉比（ＳＩＲ）は、ＳＩＲ推定器７３４によって常に推定することができる。ＳＩＲは、受信機７３０において、タイムスロット毎またはサブフレーム毎に監視することができる。ＤＰＣＣＨのＳＩＲは、所定の目標値と比較することができる。所定の目標値は、例えば、ＲＮＣによって設定することができる。
【００８９】
図７に示されるように、送信電力制御（ＴＰＣ）を、ＴＰＣ計算器７３６によって生成することができる。ＴＰＣは、ＵＥ送信電力を調整して、ＤＰＣＣＨ上において所望の受信信号品質を維持するための、アップコマンドまたはダウンコマンドとすることができる。理解できるように、受信機７３０、ＳＩＲ推定器７３４、および／またはＴＰＣ計算器７３６は、アップリンク受信機によって、１つまたは複数のコンポーネントで実施することができる。ＵＥは、ダウンリンクのフィードバックチャネルを介して１つまたは複数のＴＰＣコマンドを受信することができ、電力コントローラ７３８において、制御利得係数としてΔDPCCHなどの電力調整変数を導出することができる。電力コントローラ７３８は、ＵＥ上の１つまたは複数のコンポーネントで実施することができる。示されるように、制御利得係数などの電力制御は、電力コントローラ７３８の出力７４０に含めることができ、複数のアンテナにおいて送信される信号に同時に適用することができる。ＴＰＣコマンドに基づいたΔDPCCHの計算の詳細な手順および規則は、文献（例えば、非特許文献１を参照）において規定されており、または閉ループ送信ダイバーシティおよび／もしくはアップリンクＭＩＭＯのための特別な必要性に適合するように再定義することができる。
【００９０】
補助チャネル内のパイロット信号は、ＤＰＣＣＨに直交していることがあるので、補助チャネル上における送信は、電力制御に直接的には関与しないことがある。別の実施形態では、補助チャネル内のパイロット信号は、ＳＩＲ推定器７３４への入力の一部として使用されることがある。異なるチャネライゼーションコードを使用できる、プリコーディングされる他のチャネルは、ＤＰＣＣＨのために使用されるのと同じプリコーディング係数を用いて、同時に送信することができる。
【００９１】
別の例では、ＵＥは、アップリンクＭＩＭＯ動作を行うように構成することができる。一実施形態では、ＵＥは、複数のトランスポートブロックを同時に送信することができる。例えば、ＵＥは、２つのトランスポートブロックを同時に送信することができる。これらのトランスポートブロックの各々は、異なるＭＩＭＯストリーム上で搬送することができる。ストリームは、例えば、プリコーディング手法を使用して、１つの送信アンテナまたは送信アンテナの組み合わせにマッピングすることができる。各ストリームは、例えば、受信機におけるチャネル推定を可能にするように、１つまたは複数の制御チャネルを搬送することができる。例えば、デュアルストリームＭＩＭＯ動作の場合、ＤＰＣＣＨおよび補助パイロットチャネルを、各ストリーム上で送信することができる。
【００９２】
この例を続けると、各ストリームは、異なるプリコーディングベクトルを使用して送信することができる。例示的な一実施形態では、プリコーディングベクトルは、ネットワークが選択し、ＵＥに伝えることができる。プリコーディングベクトルは、互いに関連することができ、例えば、ネットワークは、第１のプリコーディングベクトルをプライマリストリームのために選択することができ、ＵＥは、関連するプリコーディングベクトルをセカンダリストリームに対して適用することができる。関連性は、プリコーディングベクトルの特性に基づいた暗黙的なものとすることができる。例えば、セカンダリストリームのためのプリコーディングベクトルは、プライマリストリーム上のプリコーディングベクトルに直交するように選択することができる。一実施形態では、電力制御手順は、本明細書において以下で説明するように、シングル電力制御ループ構成またはデュアル電力制御ループ構成を用いて、実行することができる。
【００９３】
図８は、プライマリＭＩＭＯストリーム上で搬送されることが仮定できるプライマリ制御チャネルＤＰＣＣＨに電力制御ループ８５０を適用できる、アップリンクＭＩＭＯ方式を示している。プライマリＭＩＭＯストリームは、最良のチャネル品質を有するストリームであると仮定することもできる。一実施形態では、電力制御ループ８５０は、図７に関して概説された手順と同様の方法で実施することができる。この例では、電力制御ループ８５０は、プライマリおよび／またはセカンダリストリームの送信電力を制御するために使用することができる。
【００９４】
図８に示されるように、受信機８３０は、アンテナ８２２に結合できるプライマリ受信機入力８２６を含むことができる。受信機８３０は、アンテナ８２４に結合できるセカンダリ受信機入力８２８も含むことができる。プライマリ受信機入力８２６における信号は、ｒ1（ｎ）によって表すことができる。セカンダリ受信機入力８２８における信号は、ｒ2（ｎ）によって表すことができる。一実施形態では、セカンダリＭＩＭＯストリームは、補助チャネルを含むことができる。一例では、補助チャネルは、直接的な電力制御手順には関与しないことがある。例えば、２つのＭＩＭＯチャネルの相対振幅は、広い範囲で変化することができる。このシナリオでは、セカンダリＭＩＭＯストリームが微弱すぎる場合、所望のＳＩＲ目標を維持するのに必要な送信電力上昇が高くなりすぎて、効果的に制御できないことがある。これは、ネットワークからのサービンググラント制御に深刻な影響をもたらすことがある。セカンダリＭＩＭＯストリームが電力制御手順に直接的に関与しないことがある別の理由は、補助チャネルの電力を個別に調整すると、それが、プリコーディング後のプライマリパイロット信号とセカンダリパイロット信号の直交性に影響することがあるためとすることができる。そのような場合、アップリンク受信機におけるチャネル推定が困難になることがある。例えば、直交性が失われると、ノードＢが所望のプリコーディング重みを推定しようとする試みに影響が及ぶことがある。
【００９５】
図８に示されるように、補助チャネルの送信電力は、プライマリストリーム上で搬送できるＤＰＣＣＨに関連付けることができる。受信機８３０は、受信したＤＰＣＣＨをプライマリ出力８３２上に出力することができる。受信機８３０は、受信した補助チャネルをセカンダリ出力８３４上に出力することができる。ＳＩＲ推定器８３８は、ＤＰＣＣＨチャネルのＳＩＲを常に計算することができる。ＳＩＲは、タイムスロット毎またはサブフレーム毎に監視することができる。ＤＰＣＣＨのＳＩＲは、所定の目標値と比較することができる。所定の目標値は、例えば、ＲＮＣによって設定することができる。送信電力制御（ＴＰＣ）を、ＴＰＣ計算器８４２によって生成することができる。ＴＰＣは、ＵＥ送信電力を調整して、ＤＰＣＣＨ上において所望の受信信号品質を維持するための、アップコマンドまたはダウンコマンドとすることができる。ＵＥは、ダウンリンクのフィードバックチャネルを介して１つまたは複数のＴＰＣコマンドを受信することができ、電力コントローラ８４４において、制御利得係数としてΔDPCCHなどの電力調整変数を導出することができる。電力コントローラ８４４は、ＵＥ上の１つまたは複数のコンポーネントで実施することができる。示されるように、制御利得係数などの電力制御は、電力コントローラ８４４の出力８４８に含めることができ、複数のアンテナにおいて送信される信号に同時に適用することができる。
【００９６】
図８に示されるような、電力制御ループ８５０を実施することで、補助チャネルの送信電力をＤＰＣＣＨの送信電力に関連付けることを可能にすることができる。セカンダリストリームのＳＩＲは、ＵＥ電力をあらかじめ制御できる場合には、例えば、補助パイロットチャネルを使用することによって、定期的に推定および監視することができる。例えば、受信機８３０は、補助パイロットチャネルを含むことができるセカンダリ出力８３４を含むことができる。セカンダリ出力８３４は、ＳＩＲ推定器８３６に供給することができ、ＳＩＲ推定器８３６は、補助パイロットチャネルを使用して、セカンダリストリームのＳＩＲを推定することができる。ＳＩＲ推定器８３８によって推定または計算されたプライマリストリームのＳＩＲと、ＳＩＲ推定器８３６によって推定または計算されたセカンダリストリームのＳＩＲとに基づいて、２つのストリームのＳＩＲの差ΔＳＩＲを、ΔＳＩＲ計算器８４０によって決定することができる。例えば、ΔＳＩＲは、ネットワークによって、送信時間間隔（ＴＴＩ：ｔｒａｎｓｍｉｓｓｉｏｎ  ｔｉｍｅ  ｉｎｔｅｒｖａｌ）毎またはタイムスロット毎に計算することができる。図８に示されるように、ΔＳＩＲは、ダウンリンクにおいて、ＵＥにフィードバックすることができる。プライマリストリームに対するセカンダリストリームのＳＩＲの差は、電力リファレンスの計算のために、および／またはＥ−ＴＦＣ選択器８４６によるＥ−ＴＦＣ選択のために、および／またはセカンダリストリームの送信に関する他の目的のために利用することができる。例えば、ΔＳＩＲは、
ΔＳＩＲ＝ＳＩＲDPCCH−ＳＩＲAUX  （式２２）
として決定することができ、ここで、ＳＩＲDPCCHは、受信機においてＤＰＣＣＨ上で観測される信号対干渉比とすることができ、ＳＩＲAUXは、受信機において補助チャネル上で観測される信号対干渉比とすることができる。例えば、ＳＩＲDPCCH、ＳＩＲAUX、および／またはΔＳＩＲは、ｄＢ単位で測定することができる。例示的な一実施形態では、受信機は、ノードＢとすることができる。
【００９７】
図９は、ＵＥ（送信機）におけるＤＰＣＣＨ電力レベルとＡＵＸチャネル電力レベルの間の関係と、ノードＢ（受信機）におけるＤＰＣＣＨ  ＳＩＲレベルとＡＵＸチャネルＳＩＲレベルの間の関係のグラフ表現を示している。図９に示されるように、送信機における電力レベルは、ＴＰＣコマンドによって調整することができる。チャネル特性の相違のせいで、プライマリストリームに関連付けることができるＤＰＣＣＨのＳＩＲは、セカンダリストリームに関連付けることができる補助チャネルのＳＩＲと異なることがある。ＤＰＣＣＨと補助チャネルのＳＩＲの差は、ΔＳＩＲとして表すことができる。
【００９８】
ΔＳＩＲをネットワークからＵＥに伝えるための多くの方法が存在し得る。例えば、ΔＳＩＲは、物理レイヤまたはレイヤ１シグナリングを介して送信することができる。例えば、ΔＳＩＲの値は、Ｅ−ＤＣＨ絶対グラントチャネル（Ｅ−ＡＧＣＨ：Ｅ−ＤＣＨ  Ａｂｓｏｌｕｔｅ  Ｇｒａｎｔ  Ｃｈａｎｎｅｌ）を介して送信することができる。別の例では、ΔＳＩＲは、例えば、Ｅ−ＤＣＨ相対グラントチャネル（Ｅ−ＲＧＣＨ：Ｅ−ＤＣＨ  Ｒｅｌａｔｉｖｅ  Ｇｒａｎｔ  Ｃｈａｎｎｅｌ）上で使用されるメカニズムに類似したシグナリング方法で、漸増的に調整することができる。別の例では、プライマリストリームに関連する重みベクトルなどの他の情報を搬送できる新しいチャネルが、ΔＳＩＲに関する情報を含むことができる。また別の例では、ΔＳＩＲ情報は、新しい媒体アクセス制御（ＭＡＣ）レイヤメッセージを介して、ＵＥに送信することができる。ＳＩＲ目標は、ＴＰＣコマンド生成のために使用される性能メトリックであるので、上で説明された技法は、シングルインナループ電力制御（ＩＬＰＣ）システムと呼ばれることがある。
【００９９】
図１０を参照すると、インナ電力制御手順は、２つのストリーム上において設定された異なるＳＩＲ目標に従って、ストリームの各々において実行することができる。したがって、各ストリームのための所望のＳＩＲを個別に維持するために、２つのインナ電力制御ループを構成することができる。これは、デュアルインナループ電力制御（ＩＬＰＣ）と呼ばれることがある。２つの電力制御ループは、プライマリストリームとセカンダリストリームそれぞれの有効チャネル状態に応答して、独立に動作することができる。図１０に示されるように、ＤＰＣＣＨ１  １００２およびプライマリストリームにおける他のチャネル１００６は、プリコーダ１０１０への第１の入力とすることができる。例示的な一実施形態では、ＤＰＣＣＨ２  １００４およびセカンダリストリームにおける他のチャネル１００８は、プリコーダ１０１０への第２の入力とすることができる。この実施形態では、ＤＰＣＣＨ２  １００４は、上で説明された補助チャネルに類似したパイロット情報を含むが、セカンダリストリームを介して送信される追加の制御情報も含むことができる。ＤＰＣＣＨ２は、セカンダリＤＰＣＣＨ（Ｓ−ＤＰＣＣＨ）と呼ばれることもある。理解できるように、セカンダリストリームを介した第２のＤＰＣＣＨまたは補助チャネルの送信は、様々な実施形態に従って実施することができ、ＤＰＣＣＨ２と補助パイロットへの言及は、本明細書では交換可能に使用することができる。図１０に示される例示的な実施では、ＤＰＣＣＨ１  １００２は、プライマリストリームを介して送信することができ、ＤＰＣＣＨ２  １００４は、セカンダリストリームを介して送信することができる。
【０１００】
図１０に示されるように、受信機１０２４は、アンテナ１０１６に結合できるプライマリ受信機入力１０２０を含むことができる。受信機１０２４は、アンテナ１０１８に結合できるセカンダリ受信機入力１０２２も含むことができる。プライマリ受信機入力１０２０における信号は、ｒ1（ｎ）によって表すことができる。セカンダリ受信機入力１０２２における信号は、ｒ2（ｎ）によって表すことができる。受信機１０２４は、プライマリ出力１０２８を含むことができる。プライマリ出力１０２８は、受信したＤＰＣＣＨ１および／またはプライマリストリームに関連付けられた他の信号を含むことができる。ＳＩＲ推定器１０３２は、プライマリストリームのＳＩＲを常に計算することができる。例えば、ＳＩＲ推定器は、受信したＤＰＣＣＨ１のＳＩＲを計算することができる。ＳＩＲは、タイムスロット毎またはサブフレーム毎に監視することができる。ＳＩＲ推定器１０３２によって計算されたＳＩＲは、所定の目標値と比較することができる。所定の目標値は、例えば、ＲＮＣによって設定することができる。
【０１０１】
受信機１０２４は、セカンダリ出力１０２６を含むことができる。セカンダリ出力１０２６は、受信したＤＰＣＣＨ２および／またはセカンダリストリームに関連付けられた他の信号を含むことができる。ＳＩＲ推定器１０３０は、セカンダリストリームのＳＩＲを常に計算することができる。例えば、ＳＩＲ推定器は、受信したＤＰＣＣＨ２のＳＩＲを計算することができる。ＳＩＲは、タイムスロット毎またはサブフレーム毎に監視することができる。ＳＩＲ推定器１０３０によって計算されたＳＩＲは、所定の目標値と比較することができる。所定の目標値は、例えば、ＲＮＣによって設定することができる。
【０１０２】
結果として、ノードＢにおいて、ＴＰＣコマンドの２つの独立した組ＴＰＣ１およびＴＰＣ２を、異なるＳＩＲ推定ユニットから別々に生成することができる。図１０に示されるように、ＴＰＣ計算器１０３６は、プライマリストリームについて決定されたＳＩＲに基づいて、ＴＰＣ１を生成することができる。例えば、ＴＰＣ１は、受信したＤＰＣＣＨ１のＳＩＲに基づいて生成することができる。同様に、ＴＰＣ計算器１０３４は、セカンダリストリームについて決定されたＳＩＲに基づいて、ＴＰＣ２を生成することができる。例えば、ＴＰＣ２は、受信したＤＰＣＣＨ２のＳＩＲに基づいて生成することができる。オプションとして、２つのストリームのＳＩＲ目標は、ネットワークによって同じに設定することができるが、依然として、２組のＴＰＣコマンドが必要なことがある。
【０１０３】
ＵＥにおいて、ダウンリンク制御チャネルからのフィードバックで、ＴＰＣ１コマンドおよびＴＰＣ２コマンドを受信すると、プライマリストリームの送信電力を、ＴＰＣ１によって命じられるように、上方または下方に調整することができ、セカンダリストリームの送信電力を、ＴＰＣ２によって命じられるように、上方または下方に調整することができる。図１０に示されるように、ＴＰＣ１は、ＩＬＰＣ１  １０４０の部分としてのプライマリ利得コントローラ１０４８によって受信することができる。ＴＰＣ２は、ＩＬＰＣ２  １０３８の部分としてのセカンダリ利得コントローラ１０４６によって受信することができる。両方のストリームの送信電力を調整するための利得制御は、プリコーディングおよびスクランブラよりも前のポイントにおいて適用することができるが、それは、そこが、２つのストリームを区別できる場所であり得るからである。例えば、プライマリ利得コントローラ１０４８によって決定される利得は、出力１０５２を介して、プライマリストリームに適用することができる。セカンダリ利得コントローラ１０４６によって決定される利得は、出力１０５０を介して、セカンダリストリームに適用することができる。
【０１０４】
図１１は、ＵＥ（送信機）におけるＤＰＣＣＨ１電力レベルとＤＰＣＣＨ２電力レベルの間の関係と、ノードＢ（受信機）におけるＤＰＣＣＨ１  ＳＩＲレベルとＤＰＣＣＨ２  ＳＩＲレベルの間の関係のグラフ表現を示している。図１１に示されるように、送信機におけるＤＰＣＣＨ１の電力レベルは、ＴＰＣ１コマンドによって調整することができる。送信機におけるＤＰＣＣＨ２の電力レベルは、ＴＰＣ２コマンドによって調整することができる。チャネル特性の相違のせいで、プライマリストリームに関連付けることができるＤＰＣＣＨ１のＳＩＲは、セカンダリストリームに関連付けることができるＤＰＣＣＨ２のＳＩＲと異なることがある。ＴＰＣ１コマンドは、受信したＤＰＣＣＨ１のＳＩＲが第１のＳＩＲ目標を満たすことができるように、プライマリストリームの電力レベルを調整するために使用することができる。ＴＰＣ２コマンドは、受信したＤＰＣＣＨ２のＳＩＲが第２のＳＩＲ目標を満たすことができるように、セカンダリストリームの電力レベルを調整するために使用することができる。
【０１０５】
電力制御のためのデュアルＩＬＰＣ構成の例示的な利点は、他の物理チャネルについてのより簡単な電力リファレンス手順と、より僅かなシグナリングオーバヘッドである。しかし、先に言及したように、微弱なストリーム状態のせいで電力が過剰に要求される可能性があるという問題に対処する必要があることがある。一般性を失うことなく、ノードＢ受信機は、より強力に受信できるストリームを識別し、それをプライマリストリームに関連付けることができ、その後、セカンダリストリームの送信電力が、監視および制御される必要がある。一実施形態によれば、ＭＩＭＯチャネルの状態が悪いせいで、ＳＩＲ目標を満たせなくなるほど高く送信電力が上昇する状況を回避するために、セカンダリストリームの送信電力を上限までに制限することができる。例えば、セカンダリストリームの送信電力を制御する利得係数がｇ2である場合、フィードバックがアップコマンドに対応しており、ｇ2が所定の最大値を超えるならば、ＵＥは、ＴＰＣ２を無視するように設計することができる。例えば、所定の最大値は、電力閾値ｇmaxとすることができる。電力閾値は、ＲＲＣ構成においてネットワークによって設定することができ、および／または半静的な方法で設定することができる。利得係数ｇ2と送信電力との実際の関係は、電力制御が様々なＵＥ実施のいずれにおいても意味あるものになるように、較正することができる。
【０１０６】
別の実施形態では、プライマリストリームの送信電力を制御する利得係数を、ｇ1とすることができる。セカンダリストリーム利得係数と比較したプライマリストリーム利得係数の比は、
η＝ｇ2／ｇ1  （式２３）
と定義することができる。例えば、ηが最大値（ηmax）よりも大きいとＵＥにおいて決定された場合、ＵＥは、ＴＰＣ２を無視するように設計することができる。ηmaxは、事前定義された値とすることができ、またはＲＲＣ接続においてネットワークによって設定することができる。
【０１０７】
一実施形態によれば、他の物理チャネルが送信されない場合、ノードＢにおけるセカンダリストリームのＳＩＲ推定において使用できるＤＰＣＣＨ２は、一定量のｄＢだけバックオフされた電力で意図的に送信することができる。したがって、ノードＢ受信機は、より低いＳＩＲをＤＰＣＣＨ２上で観測することがある。ノードＢがバックオフについての完全な知識を有する場合、この差は、ＤＰＣＣＨ２上で獲得されたＳＩＲ推定結果にバックオフと同量の一定のオフセットを適用することによって、補正することができる。
【０１０８】
例えば、図８に示される構成など、シングル電力制御ループ構成を参照すると、電力制御手順は、プライマリストリームのＳＩＲ目標を保証するための手段を提供し、またリファレンス電力レベルに依存して、セカンダリストリームを制御するので、セカンダリストリームの送信品質を、グラント割り当てのためにノードＢ受信機において監視し、Ｅ−ＴＦＣ選択手順を用いるデータスケジューリングのためにＵＥに渡す必要があることがある。グラント割り当て情報は、セカンダリＭＩＭＯストリームについての性能メトリックの形式で、ＵＥにフィードバックすることができる。プライマリストリーム上で搬送されるプライマリパイロットに対するセカンダリストリームの相対品質を測定するメトリックは、ノードＢにおいて、プライマリパイロットとセカンダリストリーム上で搬送されるセカンダリパイロットの電力比を計算することによって、評価することができる。例えば、プライマリパイロット情報は、プライマリストリーム上でプライマリＤＰＣＣＨ（ＤＰＣＣＨ１）を介して送信することができ、セカンダリパイロット情報は、セカンダリストリーム上でセカンダリＤＰＣＣＨ（Ｓ−ＤＰＣＣＨまたはＤＰＣＣＨ２）を介して送信することができる。一例として、Ｐppは、プライマリパイロット（またはＤＰＣＣＨ１）の電力を表すことができ、Ｐpaは、セカンダリパイロット（またはＳ−ＤＰＣＣＨもしくはＤＰＣＣＨ２）の電力を表すことができる。セカンダリストリームについての品質メトリックは、
【０１０９】
【数１９】
0005552568.tif 000020
【０１１０】
と定義することができる。
【０１１１】
性能メトリックは、プライマリストリームおよびセカンダリストリームのランク（ｒａｎｋ）情報を提供できる、ＭＩＭＯストリーム状態インデックスと見なすことができる。別の実施形態では、品質メトリックを決定する際に、プライマリストリームおよびセカンダリストリームの合計受信機電力を使用することができる。例えば、Ｐtpは、プライマリストリームの合計受信電力を表すことができ、Ｐtaは、セカンダリストリームの合計受信電力を表すことができる。この例では、性能メトリックは、
【０１１２】
【数２０】
0005552568.tif 000021
【０１１３】
と定義することができる。
【０１１４】
別の例として、上で説明されたような２つのストリームの間のＳＩＲ（またはＳＩＮＲ）の差として定義できるΔＳＩＲを、品質メトリックとして使用することができる。選択された性能メトリックが何であれ、メトリックは、線形スケール（ｌｉｎｅａｒ  ｓｃａｌｅ）またはデシベルで表すことができる。あるいは、性能メトリックは、スケーリング操作に関連付けるために、平方根線形スケール（ｓｑｕａｒｅ−ｒｏｏｔ  ｌｉｎｅａｒ  ｓｃａｌｅ）で表すことができる。
【０１１５】
チャネル状態の動的性質のため、品質メトリックを、迅速に更新を行いながら、レイヤ１シグナリングを介して、ＵＥにフィードバックすることが望ましいことがある。Ｅ−ＡＧＣＨおよびＥ−ＲＧＣＨは、ＨＵＳＰＡアップリンクデータ送信のための迅速なグラントスケジューリングのために使用できる、制御チャネルである。制御信号オーバヘッドを低減するために、Ｅ−ＡＧＣＨおよび／またはＥ−ＲＧＣＨ構造を再利用して、品質メトリック情報をＵＥに渡すことができる。
【０１１６】
例えば、Ｅ−ＡＧＣＨ、またはＥ−ＡＧＣＨに類似した符号化を用いるチャネルは、５つの情報ビットを符号化することが可能とすることができる。エントリが３２個のルックアップテーブルを設計し、ＵＥとノードＢの両方で利用可能にすることができる。５ビット情報フィードバックは、ＵＥがＥ−ＡＧＣＨを介して受信することができ、ノードＢによって報告された品質メトリックの値を決定するための、ルックアップテーブルに対するインデックスとして使用することができる。テーブルは、エントリが１ｄＢ刻みに、および／またはｄＢの分数刻みに増加するように設計することができる。ルックアップテーブルの例示的な設計が、以下の表１に示されている。この例では、隣接するエントリ間の増分の平均値を約１ｄＢに設定することができる。
【０１１７】
【表１】
0005552568.tif 000022
【０１１８】
別の例示的な実施形態では、Ｅ−ＡＧＣＨにおけるより僅かな情報ビットを使用して、表１に示されるメトリック値のサブセットのみを用いるようにすることができる。例えば、３ビットが使用される場合、例えば、表１の中間範囲から、８エントリのテーブルを生成することができる。
【０１１９】
Ｅ−ＡＧＣＨは、かなり大きなシグナリングオーバヘッドを使用することがあるので、このチャネルは、一般に、低頻度の構成のために使用することができる。品質メトリックの迅速な更新は、Ｅ−ＲＧＣＨを使用して達成することもでき、Ｅ−ＲＧＣＨは、値変化をＵＥに伝えるために、ＵＰ、ＤＯＷＮ、および／またはＨＯＬＤコマンドを利用することができる。Ｅ−ＲＧＣＨによって搬送されるコマンドを受信すると、受信したのがＵＰコマンドである場合、ＵＥは、エントリを１つ上に移動することができる。ＤＯＷＮコマンドを受信した場合、ＵＥは、エントリを１つ下に移動することができる。ＨＯＬＤコマンドを受信した場合、ＵＥは、以前のコマンドと同じエントリを使用することができる。より広い範囲の制御を可能にするため、表１よりも大きな大きさ範囲を有する例示的なテーブルを定義することができる。例示的なテーブルが、表２に示されている。
【０１２０】
【表２】
0005552568.tif 000023
【０１２１】
あるいは、表１および表２は、増分レベルが、１ｄＢの代わりに、ほぼ０．５ｄＢになるように、変更することができる。代替Ｅ−ＡＧＣＨテーブルが、表３に示されており、代替Ｅ−ＲＧＣＨテーブルが、表４に示されている。
【０１２２】
【表３】
0005552568.tif 000024
【０１２３】
【表４】
0005552568.tif 000025
【０１２４】
表１、表２、表３、および表４は、網羅的であることは意図しておらず、例えば、所望のテーブルサイズおよび／または増分ステップ値に基づいて、多くの可能な組み合わせを実施することができる。例示的な一実施形態では、線形スケールを有する漸増的なルックアップテーブルを実施することができ、テーブルの粒度を指定することができる。別の例では、テーブル内のエントリは、非線形とすることができる。電力制御メトリックを送信するために使用されるＥ−ＡＧＣＨとＥ−ＲＧＣＨを、それぞれのチャネルの以前の使用から区別するため、新しいもしくは異なるＥ−ＤＣＨ無線ネットワーク一時識別子（Ｅ−ＲＮＴＩ：Ｅ−ＤＣＨ  Ｒａｄｉｏ  Ｎｅｔｗｏｒｋ  Ｔｅｍｐｏｒａｒｙ  Ｉｄｅｎｔｉｆｉｅｒ）を、品質メトリック報告プロセスに割り当てることができ、および／または複数のスロットにわたって送信される異なるホッピングパターン（ｈｏｐｐｉｎｇ  ｐａｔｔｅｒｎ）を適用することができる。
【０１２５】
ＵＥにおける品質メトリックの迅速な更新を実現するための別の例示的な技法は、フラクショナル個別物理チャネル（Ｆ−ＤＰＣＨ）において搬送されるＴＰＣ類似のコマンドを使用することとすることができる。例えば、１に等しいＴＰＣコマンドは、ＵＰコマンドのために使用することができる。同様に、−１に等しいＴＰＣコマンドは、ＤＯＷＮコマンドのために使用することができる。ＵＥは、ＵＰコマンドを受信した場合、例えば、表２または表４において、エントリを１つ上に移動することができる。ＵＥは、ＤＯＷＮコマンドを受信した場合、例えば、表２または表４において、エントリを１つ下に移動することができる。また別の実施形態では、ＵＥは、先行する期間から品質メトリックを保存し、そのメトリックを計算に基づいて調整することができる。例えば、品質メトリックの変化（Δｌc）は、
Δｌc＝Δc×ＴＰＣ＿ｃｍｄ  （式２６）
と定義することができ、ここで、Δcは、ステップサイズとすることができる。
【０１２６】
一実施形態では、プライマリＭＩＭＯストリームのための電力リファレンスを、利得係数を介して計算することができる。上で説明したように、プライマリストリーム上のＤＰＣＣＨのＳＩＲは、シングル電力制御ループによって管理することができる。同じストリーム経路内の他の物理チャネルの電力設定は、例えば、文献（例えば、非特許文献１を参照）において規定された手順によれば、ＤＰＣＣＨの利得係数（βc）に基づくことができる。例えば、Ｅ−ＴＦＣＩ≦Ｅ−ＴＦＣＩec,boostであり、Ｅ−ＴＦＣＩec,boostがより高位のレイヤによって伝えられる場合、Ｅ−ＤＰＣＣＨの利得係数は、
βec＝βc・Ａec  （式２７）
とすることができる。例えば、βcは、より高位のレイヤによってＵＥに伝えることができ、または計算することができる。Ａecは、より高位のレイヤによって伝えることができるパラメータΔΕ-DPCCHから導出される比率とすることができる。
【０１２７】
例示的な一実施形態では、セカンダリＭＩＭＯストリーム上でＥ−ＤＣＨ制御およびデータを送信するのに必要な電力などの電力リファレンスは、電力オフセットに基づいて計算することができる。例えば、ＵＥが、デュアルストリーム送信を用いるＭＩＭＯモードで構成される場合、ＭＩＭＯ伝搬チャネル状態は時間とともに迅速に変化することがあり、電力制御ループ動作はプライマリＭＩＭＯストリーム上で実施されることがあるので、セカンダリデータストリームは、ＤＰＣＣＨの実時間電力に直接的に関連しないことがある。セカンダリＭＩＭＯストリーム上における電力リファレンスを提供するため、セカンダリＭＩＭＯストリーム上でＥ−ＤＣＨ制御およびデータを送信するのに必要な電力を計算する目的で、電力オフセットをＵＥによって使用することができる。例えば、電力オフセットは、上で説明されたΔＳＩＲなど、ノードＢにおける２つのＭＩＭＯストリームの間の受信ＳＩＲの差を表すことができる。他の例では、異なる量を表す異なる電力オフセットを使用して、セカンダリＭＩＭＯストリームの電力リファレンスを計算することができる。ＵＥは、上で説明された方法のいずれかを使用して、ネットワークから、電力オフセットの値、例えばΔＳＩＲの値を受け取ることができる。
【０１２８】
一実施形態では、セカンダリＭＩＭＯストリームの電力リファレンスは、電力オフセットΔＳＩＲによって計算されるオフセットによってスケーリングされた、プライマリＭＩＭＯストリーム上で送信されるＤＰＣＣＨの電力に基づいて、生成することができる。より具体的には、β’cなどの、セカンダリＭＩＭＯストリームの利得係数リファレンスは、以下のように計算することができ、
βc’＝βc・１０ΔSIR/20  （式２８）
ここで、βcは、プライマリＭＩＭＯストリーム上で送信できるＤＰＣＣＨの利得係数とすることができる。新しい電力リファレンスパラメータに基づいて、セカンダリＭＩＭＯストリーム上で送信できる、例えば、Ｅ−ＤＰＣＣＨ２およびＥ−ＤＰＤＣＨ２などの、他のチャネルの利得係数を、以下のように計算することができ、
Ｅ−ＤＰＣＣＨ２：β’ec＝βc’・Ａec  （式２９）
Ｅ−ＤＰＤＣＨ２：β’ed2,ref＝βc’・Ａed  （式３０）
【０１２９】
【数２１】
0005552568.tif 000026
【０１３０】
ここで、Δharqは、ＨＡＲＱオフセットとすることができ、Ａecは、Ｅ−ＤＰＣＣＨについての相対電力比とすることができ、Ａedは、Ｅ−ＤＰＤＣＨについての相対電力比とすることができ、Ｌe2,refは、リファレンスで使用されるＥ−ＤＰＤＣＨの数とすることができ、Ｋe2,refは、例えば、文献（例えば、非特許文献２を参照）において定義および規定されるような、リファレンスで使用されるデータビットの数とすることができ、Ｌe2,jは、第ｊのＥ−ＴＦＣで使用される実際のＥ−ＤＰＤＣＨの数とすることができ、Ｋe2,jは、第ｊのＥ−ＴＦＣで使用されるデータビットの数とすることができる。したがって、送信のためにスケジュールできるデータの量に基づいて、データをスケーリングするために、利得係数β’ed2,refを使用することができる。送信のためにスケジュールされるデータの量は、ＨＡＲＱオフセットに依存することができる。
【０１３１】
電力リファレンス手順を説明するために、図１２は、Ｅ−ＤＰＣＣＨ２についての一例を示している。２つのストリームにおける有効無線チャネル差を補償することが必要なことがあるので、ネットワークによって既に設定されているＡec＝βec／βcに従って、Ｅ−ＤＰＣＣＨ２の送信電力を、電力オフセットの量だけ高く設定することができる。その場合、ノードＢ受信機において、Ｅ−ＤＰＣＣＨ２における所望のＳＩＲ目標を達成することができる。
【０１３２】
圧縮されたフレームの間、または利得係数設定がより複雑になる他の状況において、文献（例えば、非特許文献１を参照）において規定されるような様々なベータ係数を設定する際に、βcをβc’で置き換えることによって、式２８によって設定される電力リファレンスを適用することができる。文献（例えば、非特許文献１および非特許文献３を参照）において規定されるような電力スケーリング規則およびＥ−ＴＦＣ制約規則も、適用することができる。セカンダリＭＩＭＯストリームにおいて搬送される物理チャネルの各々について決定された利得係数を用いて、Ｐ’などの、セカンダリストリーム上の合計送信電力を、以下のように計算することができ、
Ｐ’＝Ｐ’DPCCH＋Ｐ’DPDCH＋Ｐ’E-DPCCH＋Ｐ’E-DPDCH
【０１３３】
【数２２】
0005552568.tif 000027
【０１３４】
ここで、ＰDPCCHは、プライマリストリーム上のＤＰＣＣＨの送信電力とすることができ、βd’は、セカンダリストリーム上のＤＰＤＣＨの利得係数とすることができる。βd’は、以下のように計算することができ、
βd’＝βd・１０ΔSIR/20  （式３３）
ここで、βdは、プライマリチャネル上のＤＰＤＣＨの利得係数である。一実施形態では、ＨＳ−ＤＰＣＣＨは、セカンダリストリーム上で送信されないことがあるので、上記の計算に含むことはできない。
【０１３５】
別の実施形態では、セカンダリＭＩＭＯストリーム上の利得係数は、ＵＥについての１つまたは複数のサービンググラントに基づいて計算することができる。ＤＰＣＣＨチャネルの利得係数βcは、セカンダリＭＩＭＯチャネルの電力リファレンスとして適用することができる。Ｅ−ＤＰＤＣＨについての関連するサービンググラントは、以下のように調整することができ、
ＳＧ’＝ＳＧ／１０ΔSIR/20  （式３４）
ここで、ＳＧは、ＵＥについてのサービンググラントとすることができる。上で説明されたような、または文献（例えば、非特許文献４を参照）において規定されるような、Ｅ−ＴＦＣ選択計算において使用される場合、外挿公式は、
【０１３６】
【数２３】
0005552568.tif 000028
【０１３７】
のように構成することができ、ここで、Ａed,mは、第ｍのリファレンスＥ−ＴＦＣについての量子化された振幅比とすることができ、Ｌe,ref,mは、第ｍのリファレンスＥ−ＴＦＣのために使用されるＥ−ＤＰＤＣＨの数とすることができ、Ｋe,ref,mは、第ｍのリファレンスＥ−ＴＦＣのトランスポートブロックサイズとすることができる。内挿公式は、
【０１３８】
【数２４】
0005552568.tif 000029
【０１３９】
のように構成することができ、ここで、下付き文字「ｍ＋１」を含む変数は、第（ｍ＋１）のリファレンスＥ−ＴＦＣまたはセカンダリリファレンスＥ−ＴＦＣに関連するパラメータに対応することができる。
【０１４０】
別の実施形態では、セカンダリＭＩＭＯストリーム上の利得係数は、各チャネルについての１つまたは複数の利得オフセット値に基づいて計算することができる。例えば、ＵＥは、各チャネルについてネットワークが伝えることができる、ＨＡＲＱおよび／またはＴ２ＴＰなどの、利得オフセット値を変更することができる。例えば、利得オフセットパラメータは、以下のように変更することができる。
Δ’harq＝Δharq＋ΔＳＩＲ（ｄＢ）  （式３７）
Δ’T2TP＝ΔΤ2ΤΡ＋ΔＳＩＲ（ｄＢ）  （式３８）
【０１４１】
別の実施形態では、セカンダリＭＩＭＯストリームのリファレンス電力は、プライマリＭＩＭＯストリーム上で送信されるＤＰＣＣＨの電力に対する固定的な関係に基づくことができる。例えば、セカンダリＭＩＭＯストリームの利得係数リファレンスは、以下のように決定することができ、
βc’＝βc・βa  （式３９）
ここで、βaは、ネットワークによって、例えば、ＲＲＣ構成によって事前定義または事前設定される固定的な利得係数とすることができる。例えば、βa＝１である場合は、プライマリストリームとセカンダリストリームにおいて、等しい電力を仮定することができる。結果として、Ｅ−ＤＰＣＣＨ２および／もしくはＥ−ＤＰＤＣＨ２、またはセカンダリＭＩＭＯストリーム上で送信できる他の任意の物理チャネルは、β’cに基づいて個々に設定することができる。例えば、利得係数は、上記の式２９および式３０に関して説明した方法に類似した方法で、または本明細書で説明される他の類似の手順で、計算することができる。
【０１４２】
セカンダリストリームの電力は、対応するＭＩＭＯチャネル状態に従って、間接的に調整されることがあるので、従来のデータスケジューリング手順に従った場合、セカンダリストリームの送信品質は、信頼性が低いと見なされることがある。例えば、この問題は、上で導入された品質メトリックをＥ−ＴＦＣ選択手順に組み込んで、セカンダリデータストリームに割り当てられる適切なデータパケットサイズを決定することによって、解決することができる。この概念は、図１３に示されており、図１３では、提示を簡潔にするために、すべての物理チャネルに対して等しい電力が仮定される。
【０１４３】
理解できるように、上で説明されたセカンダリストリームのための電力リファレンス方法の各々において、ΔＳＩＲは、より一般的な品質メトリックｌcによって置き換えることができる。より一般的な品質メトリックは、セカンダリＭＩＭＯストリームの信号品質またはＭＩＭＯ条件数（ｃｏｎｄｉｔｉｏｎ  ｎｕｍｂｅｒ）を示すことができる。
【０１４４】
別の実施形態では、例えば、Ｅ−ＤＰＣＣＨおよび／またはＥ−ＤＰＤＣＨなど、他の物理チャネルについての相対電力は、例えば、図１０に示された設計を使用する、プライマリストリームとセカンダリストリームについて独立に動作するデュアルＩＬＰＣを使用して、設定することができる。ネットワークは、２つのストリームについての２組の電力リファレンスパラメータを設定することができ、プライマリストリームに関して、βc1は、ＤＰＣＣＨの利得係数とすることができ、Ａec1は、Ｅ−ＤＰＣＣＨについての相対電力比とすることができ、Ａed1は、Ｅ−ＤＰＤＣＨについての相対電力比とすることができ、Ｌe,ref1は、リファレンスで使用されるＥ−ＤＰＤＣＨの数とすることができ、Ｋe,ref1は、リファレンスで使用されるデータビットの数とすることができる。セカンダリストリームに関して、βc2は、ＤＰＣＣＨの利得係数とすることができ、Ａec2は、Ｅ−ＤＰＣＣＨについての相対電力比とすることができ、Ａed2は、Ｅ−ＤＰＤＣＨについての相対電力比とすることができ、Ｌe,ref2は、リファレンスで使用されるＥ−ＤＰＤＣＨの数とすることができ、Ｋe,ref2は、リファレンスで使用されるデータビットの数とすることができる。２つの電力制御ループは、独立に動作することができるので、２つのストリームで搬送される物理チャネルについての電力リファレンス設定は、互いに情報交換することなく、別々に設定することができる。
【０１４５】
プライマリストリームおよびセカンダリストリーム上で搬送されるＥ−ＤＰＣＣＨチャネルを、それぞれＥ−ＤＰＣＣＨ１およびＥ−ＤＰＣＣＨ２で表す場合、利得係数は、以下のように計算することができる。
Ｅ−ＤＰＣＣＨ１：βec1＝Ａec1・βc1  （式４０）
Ｅ−ＤＰＣＣＨ２：βec2＝Ａec2・βc2  （式４１）
【０１４６】
Ｅ−ＤＰＤＣＨ１およびＥ−ＤＰＤＰＣＨ２に対する類似の定義を用いて、Ｅ−ＤＰＤＣＨチャネルについてのリファレンス電力設定は、以下のように計算することができる。
Ｅ−ＤＰＤＣＨ１：βed,ref1＝Ａed1・βc1  （式４２）
Ｅ−ＤＰＤＣＨ２：βed,ref2＝Ａed2・βc2  （式４３）
【０１４７】
プライマリストリームおよびセカンダリストリーム上でそれぞれ送信されるトランスポートブロックサイズを決定するために、Ｅ−ＴＦＣ選択手順を実行できることを考慮すると、第ｊのＥ−ＴＦＣに適用される利得係数は、以下のように決定することができ、
Ｅ−ＤＰＤＣＨ１：
【０１４８】
【数２５】
0005552568.tif 000030
【０１４９】
Ｅ−ＤＰＤＣＨ２：
【０１５０】
【数２６】
0005552568.tif 000031
【０１５１】
ここで、Ｌe1,j、Ｌe2,j、Ｋe1,j、およびＫe2,jは、プライマリストリームおよびセカンダリストリームのそれぞれについての、第ｊのＥ−ＴＦＣについてのＥ−ＴＦＣ選択手順から生成されるパラメータとすることができる。例えば、Δharqは、サービス品質に関連することができ、Δharqの値が大きいほど、より大きなスケーリング係数をもたらすことができる。
【０１５２】
一実施形態によれば、ネットワークは、両方のストリームに共通する電力リファレンスパラメータの組を設定することができる。例えば、βcは、ＤＰＣＣＨの利得係数とすることができ、Ａecは、Ｅ−ＤＰＣＣＨについての相対電力比とすることができ、Ａedは、Ｅ−ＤＰＤＣＨについての相対電力比とすることができ、Ｌe,refは、リファレンスで使用されるＥ−ＤＰＤＣＨの数とすることができ、Ｋe,refは、リファレンスで使用されるデータビットの数とすることができる。この例では、プライマリストリームに関して、利得係数は、
βec1＝Ａec・βc  （式４６）
βed,ref1＝Ａed・βc  （式４７）
【０１５３】
【数２７】
0005552568.tif 000032
【０１５４】
とすることができる。同様に、セカンダリストリームに関して、利得係数は、
βec2＝Ａec・βc  （式４９）
βed,ref2＝Ａed・βc  （式５０）
【０１５５】
【数２８】
0005552568.tif 000033
【０１５６】
とすることができる。
【０１５７】
本明細書において上で説明したように、ＭＩＭＯチャネル状態が悪い状態にある場合の過剰な電力要求を回避するために、セカンダリストリームの送信電力が制限されることがある。ある期間、セカンダリストリームの電力を制限する必要がある場合、ＵＥは、セカンダリストリームについての過剰な電力要求に基づいて、例外的なＥ−ＴＦＣ手順を実行することを選択することができる。例えば、ＵＥは、ＴＰＣコマンドから電力ダウン要求を受け取ったときなど、セカンダリＩＬＰＣが通常動作に戻るまで、セカンダリストリーム上におけるいずれのデータのスケジューリングも停止することができる。別の例では、ＵＥは、ＤＰＣＣＨの現在の電力設定を電力リファレンスとして使用して、より僅かなデータをスケジュールすることができる。過剰なＨＡＲＱ再送が観測された場合、または立て続けにアップＴＰＣコマンドを受信した場合、ＵＥは、セカンダリＩＬＰＣが通常動作を回復するまで、セカンダリストリーム上におけるいかなるデータのスケジューリングも停止することができる。ＨＳ−ＤＰＣＣＨ、ＤＰＤＣＨなどの他の物理チャネルの場合も、上で説明したのと同様の方法で、電力リファレンスを扱うことができる。違いは、それらがプライマリストリームに存在できることである。
【０１５８】
別の実施形態では、電力リファレンスを必要とすることがある物理チャネルは、プリコーディングされないことがある。例えば、アップリンクにおける閉ループ送信ダイバーシティまたはＭＩＭＯの場合、いくつかの物理チャネルは、プリコーディング重みに影響されないことがある。物理チャネルのいくつかに他のチャネルとは異なるプリコーディングが施される送信機構造が、いくつかの理由で実用的なことがある。例えば、ＨＳ−ＤＰＣＣＨは、ダウンリンクデータ送信が影響を受けないことを保証するために、プリコーディングされないことがある。
【０１５９】
図１４は、例示的な送信機構造を示しており、例えば、ＤＰＣＣＨ１  １４０２およびＤＰＣＣＨ２  １４０４などのパイロットリファレンスチャネルは、プリコーディングされるが、プリコーディングされない他のチャネル１４１２は、プリコーディングされずに、プライマリストリーム上で搬送することができる。同様に、プリコーディングされない他のチャネル１４１４は、プリコーディングされずに、セカンダリストリーム上で搬送される。図１４に示されるように、ＤＰＣＣＨ１  １４０２とプリコーディングされる他のチャネル１４０６は、組み合わせて、プリコーダ１４１０に入力することができる。ＤＰＣＣＨ２  １４０４とプリコーディングされる他のチャネル１４０８も、組み合わせて、プリコーダ１４１０に入力することができる。プリコーディング重みを作用させた後、プライマリストリームは、プリコーディングされない他のチャネル１４１２と組み合わせることができ、セカンダリストリームは、プリコーディングされない他のチャネル１４１４と組み合わせることができる。その結果のストリームは、アンテナ１４１６およびアンテナ１４１８を介して送信される前に、スクランブルすることができる。
【０１６０】
プリコーディングされないチャネルは、プリコーディングされるリファレンスチャネル（例えば、ＤＰＣＣＨ１  １４０２およびＤＰＣＣＨ２  １４０４）とは実質的に異なる伝搬チャネルを介して送信されることがあるので、これらのチャネルの電力リファレンスは、より複雑になることがある。有効伝搬経路の違いを補償しない場合、これらのチャネル上での送信電力の制御が困難になることがあり、したがって、所望の送信品質を達成することが困難になる。
【０１６１】
ＵＥが、アップリンクチャネル状態情報（ＣＳＩ：ｃｈａｎｎｅｌ  ｓｔａｔｅ  ｉｎｆｏｒｍａｔｉｏｎ）についての知識を有する場合、例えば、異なるプリコーディング重みの使用によって生じる電力差を推定することによって、プリコーディングされるリファレンスチャネルとプリコーディングされない物理チャネルの間の電力関係を再確立することができる。推定された差は、本明細書で説明される電力リファレンス手順に対する追加の調整として使用することができる。無線チャネル状態の変化の迅速性のため、異なるチャネルの有効伝搬経路の差を補正する電力調整手順を、無線フレームまたはサブフレーム毎に動的に実行する必要があることがある。
【０１６２】
例示的な一実施形態では、２×１送信ダイバーシティシステムを実施することができる。例えば、チャネル係数行列を、Ｈ＝［ｈ1ｈ2］と定義することができる。この例では、２つのプリコーディングされないチャネルと電力リファレンスチャネル（例えば、ＤＰＣＣＨ１および／またはＤＰＣＣＨ２）の間の推定電力差は、
【０１６３】
【数２９】
0005552568.tif 000034
【０１６４】
と表すことができ、ここで、ｗpは、リファレンスチャネルによって使用されるプリコーディングベクトルとすることができ、ｗuは、プリコーディングされないチャネルについての定数ベクトルとすることができる。例えば、
【０１６５】
【数３０】
0005552568.tif 000035
【０１６６】
である場合、プリコーディングされないチャネルは、１つのアンテナ上で送信される。別の例では、
【０１６７】
【数３１】
0005552568.tif 000036
【０１６８】
である場合、プリコーディングされないチャネルは、役割が対等な両方のアンテナ上で送信される。
【０１６９】
【数３２】
0005552568.tif 000037
【０１７０】
は、チャネル係数行列ｗuの推定とすることができる。
【０１７１】
ＵＥにおいて、アップリンクＣＳＩ情報が利用可能でないことがある。一実施形態では、ＣＳＩに基づいて計算できる最適なプリコーディング重みは、ノードＢがダウンリンク送信を介して伝えることができる。したがって、一実施形態によれば、伝えられた最適なプリコーディングベクトルを、近似的なＣＳＩとして使用することができる。例えば、上記の２×１送信ダイバーシティの場合、チャネルは、
【０１７２】
【数３３】
0005552568.tif 000038
【０１７３】
によって近似することができ、これは、最適なベクトルは、
【０１７４】
【数３４】
0005552568.tif 000039
【０１７５】
という関係によってノードＢが決定できるという仮定に基づくことができる。したがって、一実施形態では、電力配給推定は、
【０１７６】
【数３５】
0005552568.tif 000040
【０１７７】
と表すことができる。
【０１７８】
この実施形態は、ｗuは、関連する物理チャネルに適用されるプリコーディングベクトルとすることができ、リファレンスチャネルは、例えば、一定であることを仮定できるｗPをプリコーディング重みとして使用することを仮定することによって、より一般化されたケースに適用することができる。これは、関連する物理チャネルが、電力リファレンスチャネル（例えばＤＰＣＣＨ）とは異なるプリコーディングベクトルを使用できる場合とすることができる。別の例では、例えば、ＤＰＣＣＨなどのリファレンスチャネルは、プリコーディングされないことがあり、関連する物理チャネルは、最適な重みによってプリコーディングすることができる。
【０１７９】
図１５は、例示的な送信機構造を示しており、リファレンスチャネルは、プリコーディングされないが、いくつかの物理チャネルは、プリコーディングされる。図１５に示されるように、ＤＰＣＣＨ１  １５０２は、プリコーディングされなくて良い。プリコーディングされない他のプライマリチャネル１５０６と組み合わされる前に、ＤＰＣＣＨ１  １５０２は、チャネライゼーションコード
【０１８０】
【数３６】
0005552568.tif 000041
【０１８１】
、スケーリング利得係数
【０１８２】
【数３７】
0005552568.tif 000042
【０１８３】
、および／またはＩ／Ｑインデックス
【０１８４】
【数３８】
0005552568.tif 000043
【０１８５】
によるＩ／Ｑ分岐選択を使用して、拡散することができる。同様に、ＤＰＣＣＨ２  １５０４も、プリコーディングされなくて良い。プリコーディングされない他のセカンダリチャネル１５０８と組み合わされる前に、ＤＰＣＣＨ２  １５０４は、チャネライゼーションコード
【０１８６】
【数３９】
0005552568.tif 000044
【０１８７】
、スケーリング利得係数
【０１８８】
【数４０】
0005552568.tif 000045
【０１８９】
、および／またはＩ／Ｑインデックス
【０１９０】
【数４１】
0005552568.tif 000046
【０１９１】
によるＩ／Ｑ分岐選択を使用して、拡散することができる。ＤＰＣＣＨ１  １５０２およびＤＰＣＣＨ２  １５０４に含まれるパイロット信号は、チャネライゼーションコード
【０１９２】
【数４２】
0005552568.tif 000047
【０１９３】
と
【０１９４】
【数４３】
0005552568.tif 000048
【０１９５】
が同じになり得るように、直交することができる。別の例では、同じパイロット信号を、ＤＰＣＣＨ１  １５０２とＤＰＣＣＨ２  １５０４の両方において使用することができ、チャネライゼーションコード
【０１９６】
【数４４】
0005552568.tif 000049
【０１９７】
と
【０１９８】
【数４５】
0005552568.tif 000050
【０１９９】
は、直交することができる。また別の例では、
【０２００】
【数４６】
0005552568.tif 000051
【０２０１】
と
【０２０２】
【数４７】
0005552568.tif 000052
【０２０３】
は、同じとすることができ（例えば、両方ともＱ分岐にマッピング）、またはそれらは、（例えば、キュービックメトリック（ｃｕｂｉｃ  ｍｅｔｒｉｃ）などの性能分析に基づいて）異なることができる。利得係数
【０２０４】
【数４８】
0005552568.tif 000053
【０２０５】
および
【０２０６】
【数４９】
0005552568.tif 000054
【０２０７】
の生成は、以下でより詳細に説明される。
【０２０８】
プリコーダ１５１０のプリコーディング係数（ｗ1、ｗ2、ｗ3、ｗ4）は、リバースフィードバックチャネルを介して、ノードＢから受信することができる。プリコーディング係数は、送信機自体によって計算することもできる。プリコーディング係数は、行列形式で表すことができ、
【０２０９】
【数５０】
0005552568.tif 000055
【０２１０】
のように行列形式で記述することができる。一実施形態では、Ｗは、ユニタリとすることができる。例えば、ＷHＷ＝Ｉである。
【０２１１】
プリコーディングされるプライマリチャネル１５１２は、Ｅ−ＤＰＣＣＨと、ゼロまたは１つ以上のＥ−ＤＰＤＣＨとを含むことができる。一実施形態では、構成される場合、ＨＳ−ＤＰＣＣＨおよび／またはＤＰＤＣＨは、プリコーディングされない他のプライマリチャネル１５０６に含まれることができ、またはプリコーディングされるプライマリチャネル１５１２の部分とすることができる。プリコーディングされるセカンダリチャネル１５１４は、Ｅ−ＤＰＣＣＨと、ゼロまたは１つ以上のＥ−ＤＰＤＣＨとを含むことができる。構成される場合、ＤＰＤＣＨは、プリコーディングされない他のセカンダリチャネル１５０８に含まれることができ、またはプリコーディングされたセカンダリチャネル１５１４の部分とすることができる。
【０２１２】
プリコーディングされるプライマリチャネル１５１２は、拡散操作によって個々に処理することができ、合算して、ｓ1によって表されるプライマリストリームを形成することができ、ｓ1は、プライマリプリコーダ入力１５１６に入力することができる。プリコーディングされるセカンダリチャネル１５１４は、拡散操作によって個々に処理することができ、合算して、ｓ2によって表されるセカンダリストリームを形成することができ、ｓ2は、セカンダリプリコーダ入力１５１８に入力することができる。プリコーディングされる各チャネルについての拡散操作は、図１５には示されていない。プリコーディング操作は、例えば、拡散操作の前または後に、シンボルまたはチップレベルで実行することができる。図１５に示される構造は、プリコーディングされるセカンダリチャネル１５１４においてＥ−ＤＰＤＣＨおよび／またはＥ−ＤＰＣＣＨを送信しないことによって、シングルストリーム構成または閉ループ送信ダイバーシティのための送信機構造を実施することができる。プライマリプリコーダ出力１５２０における信号は、ｓ’1によって表すことができる。セカンダリプリコーダ出力１５２２における信号は、ｓ’2によって表すことができる。一実施形態では、プリコーディングされない他のプライマリチャネル１５０６、ＤＰＣＣＨ１  １５０２、および／またはプライマリプリコーダ出力１５２０は、合算することができる。同様に、プリコーディングされない他のセカンダリチャネル１５０８、ＤＰＣＣＨ２  １５０４、および／またはセカンダリプリコーダ出力１５２２は、合算することができる。２つの合算された信号は、アンテナ１５２４およびアンテナ１５２６を介して送信される前に、スクランブルすることができる。別の例では、プリコーディングされるプライマリチャネル１５１２およびプリコーディングされるセカンダリチャネル１５１４は、プリコーディング操作の前に、スクランブルすることができる。理解できるように、ＤＰＣＣＨ１  １５０２およびプリコーディングされない他のプライマリチャネル１５０６は、別々にスクランブルし、その後、プライマリプリコーダ出力１５２０と合算することができる。同様に、ＤＰＣＣＨ２  １５０４およびプリコーディングされない他のセカンダリチャネル１５０８は、別々にスクランブルし、その後、セカンダリプリコーダ出力１５２２と合算することができる。
【０２１３】
リファレンスチャネルの利得係数は、例えば、より高位のレイヤからのシグナリングを介して、および／またはＵＥもしくはノードＢなどによる計算を介して、獲得することができる。例えば、ＤＰＣＣＨ１およびＤＰＣＣＨ２の利得係数を、すなわち、２つのアンテナ分岐の電力リファレンスを、
【０２１４】
【数５１】
0005552568.tif 000056
【０２１５】
と表す。ＤＰＤＣＨが構成されない場合、または構成はされるが、プリコーディングされない場合、
【０２１６】
【数５２】
0005552568.tif 000057
【０２１７】
は、同じまたは異なる事前定義された値とすることができる。例えば、
【０２１８】
【数５３】
0005552568.tif 000058
【０２１９】
は、
【０２２０】
【数５４】
0005552568.tif 000059
【０２２１】
とすることができる。別の例では、
【０２２２】
【数５５】
0005552568.tif 000060
【０２２３】
は、
【０２２４】
【数５６】
0005552568.tif 000061
【０２２５】
の関数とすることができ、例えば、
【０２２６】
【数５７】
0005552568.tif 000062
【０２２７】
は、
【０２２８】
【数５８】
0005552568.tif 000063
【０２２９】
の一定のオフセットとすることができる。例えば、
【０２３０】
【数５９】
0005552568.tif 000064
【０２３１】
であり、ここで、βoffは、事前定義されたパラメータまたはより高位のレイヤによって伝えられたパラメータとすることができる、一定のオフセットを表すことができる。ＤＰＤＣＨが構成はされるが、プリコーディングされない場合、ｍが送信アンテナのインデックスを表すことができるとして、利得係数
【０２３２】
【数６０】
0005552568.tif 000065
【０２３３】
は、より高位のレイヤによって個々に伝えることができ、または個々に計算することができる。別の例では、２つの利得係数
【０２３４】
【数６１】
0005552568.tif 000066
【０２３５】
は、より高位のレイヤによって伝えられた、または計算された、同じ値を含むことができる。別の例では、
【０２３６】
【数６２】
0005552568.tif 000067
【０２３７】
は、より高位のレイヤによって伝えることができ、
【０２３８】
【数６３】
0005552568.tif 000068
【０２３９】
は、
【０２４０】
【数６４】
0005552568.tif 000069
【０２４１】
に基づいて、しかるべく導出することができる。一例では、
【０２４２】
【数６５】
0005552568.tif 000070
【０２４３】
は、
【０２４４】
【数６６】
0005552568.tif 000071
【０２４５】
の関数とすることができ、例えば、
【０２４６】
【数６７】
0005552568.tif 000072
【０２４７】
は、
【０２４８】
【数６８】
0005552568.tif 000073
【０２４９】
の一定のオフセットとすることができる。例えば、
【０２５０】
【数６９】
0005552568.tif 000074
【０２５１】
であり、ここで、βoffは、事前定義されたパラメータまたはより高位のレイヤによって伝えられたパラメータとすることができる、一定のオフセットを表すことができる。プリコーディングされない他のプライマリおよびセカンダリチャネルの利得係数を計算する際、プリコーディングされないチャネルが、選択されたＤＰＣＣＨｍと同じ第ｍのアンテナ分岐上で送信されるように、電力リファレンス
【０２５２】
【数７０】
0005552568.tif 000075
【０２５３】
を選択することができる。
【０２５４】
プリコーディング前の各ストリームの電力リファレンスは、仮想利得係数に基づいて導出することができる。例えば、プリコーディング後の信号
【０２５５】
【数７１】
0005552568.tif 000076
【０２５６】
の仮想利得係数は、与えられたＥ−ＴＦＣ、例えば、より高位のレイヤによって伝えられたＥ−ＴＦＣに基づいて導出された仮想Ｅ−ＴＦＣについて、
【０２５７】
【数７２】
0005552568.tif 000077
【０２５８】
として受け取ること、および／または計算することができる。プリコーディング前のデュアルストリーム信号
【０２５９】
【数７３】
0005552568.tif 000078
【０２６０】
の利得係数は、
【０２６１】
【数７４】
0005552568.tif 000079
【０２６２】
として導出することができ、これは、仮想利得係数
【０２６３】
【数７５】
0005552568.tif 000080
【０２６４】
に基づいて計算することができる。一実施形態では、プリコーディング前の信号の利得係数は、以下で説明するように、プリコーディング重みを使用して決定することができる。プリコーディング操作前のプライマリおよび／またはセカンダリストリーム信号は、Ｅ−ＤＰＣＣＨ、Ｅ−ＤＰＤＣＨ、ＨＳ−ＤＰＣＣＨ、またはＤＰＤＣＨなど、いずれか対応するチャネルを表すことができる。例えば、様々な実施形態では、以下でより詳細に説明するように、仮想利得係数に基づいてチャネル利得係数を決定するために、式７６、式７７、および／または式７８を使用することができる。
【０２６５】
図１６は、ＨＳＵＰＡのためのＵＬ  ＭＩＭＯにおいて実施できる、ストリーム毎の利得係数生成の例示的な実施を示している。１６０２において、ＨＳＵＰＡ  Ｅ−ＴＦＣ選択器は、プライマリおよび／またはセカンダリＥ−ＤＣＨトランスポートブロックを選択することができる。プリコーディング前のプライマリストリーム上のＥ−ＴＦＣ（すなわちＥ−ＴＦＣ1）のトランスポートブロックサイズ（ＴＢＳ）は、
【０２６６】
【数７６】
0005552568.tif 000081
【０２６７】
と表すことができる。プリコーディング前のセカンダリストリーム上のＥ−ＴＦＣ（すなわちＥ−ＴＦＣ2）のトランスポートブロックサイズ（ＴＢＳ）は、
【０２６８】
【数７７】
0005552568.tif 000082
【０２６９】
と表すことができる。
【０２７０】
例えば、仮想Ｅ−ＴＦＣは、図１５のプライマリプリコーダ出力１５２０およびセカンダリプリコーダ出力１５２２に示される信号
【０２７１】
【数７８】
0005552568.tif 000083
【０２７２】
の、プリコーディング後の組み合わせＥ−ＴＦＣとすることができる。１６０４において、仮想Ｅ−ＴＦＣ生成器が、プライマリおよびセカンダリＥ−ＤＣＨトランスポートブロックのトランスポートブロックサイズに基づいて、仮想Ｅ−ＴＦＣを決定する。例えば、１６０４において、仮想Ｅ−ＴＦＣは、
【０２７３】
【数７９】
0005552568.tif 000084
【０２７４】
によって決定することができ、ここで、
【０２７５】
【数８０】
0005552568.tif 000085
【０２７６】
は、Ｅ−ＴＦＣＩ1によって示すこと（またはＥ−ＴＦＣＩ1にマッピングすること）ができる、プリコーディング前のプライマリストリーム上のＥ−ＴＦＣのＥ−ＤＣＨトランスポートブロックサイズ（ＴＢＳ）（例えば、
【０２７７】
【数８１】
0005552568.tif 000086
【０２７８】
）とすることができ、
【０２７９】
【数８２】
0005552568.tif 000087
【０２８０】
は、Ｅ−ＴＦＣＩ2によって示すこと（またはＥ−ＴＦＣＩ2にマッピングすること）ができる、プリコーディング前のセカンダリストリーム上のＥ−ＴＦＣのＥ−ＤＣＨ  ＴＢＳ（例えば、
【０２８１】
【数８３】
0005552568.tif 000088
【０２８２】
）とすることができる。
【０２８３】
【数８４】
0005552568.tif 000089
【０２８４】
は、
【０２８５】
【数８５】
0005552568.tif 000090
【０２８６】
と表すことができる、プリコーディング後のプライマリアンテナ分岐上の仮想Ｅ−ＴＦＣの仮想Ｅ−ＤＣＨ  ＴＢＳとすることができる。
【０２８７】
【数８６】
0005552568.tif 000091
【０２８８】
は、
【０２８９】
【数８７】
0005552568.tif 000092
【０２９０】
と表すことができる、プリコーディング後のセカンダリアンテナ分岐上の仮想Ｅ−ＴＦＣの仮想Ｅ−ＤＣＨ  ＴＢＳとすることができる。例えば、
【０２９１】
【数８８】
0005552568.tif 000093
【０２９２】
は、仮想Ｅ−ＴＦＣＩ1にマッピングすることができ、
【０２９３】
【数８９】
0005552568.tif 000094
【０２９４】
は、仮想Ｅ−ＴＦＣＩ2にマッピングすることができる。
【０２９５】
【数９０】
0005552568.tif 000095
【０２９６】
および
【０２９７】
【数９１】
0005552568.tif 000096
【０２９８】
を使用して、２つ以上のアンテナに割り当てられるプリコーディングされた信号を送信するのに必要なことがある電力量を決定することができる。簡潔にするため、第ｍのアンテナ分岐上における仮想Ｅ−ＴＦＣのＴＢＳを表すために、
【０２９９】
【数９２】
0005552568.tif 000097
【０３００】
を使用することができる。αは、
【０３０１】
【数９３】
0005552568.tif 000098
【０３０２】
および
【０３０３】
【数９４】
0005552568.tif 000099
【０３０４】
が、信号ポイント
【０３０５】
【数９５】
0005552568.tif 000100
【０３０６】
における、プリコーディング後の混合（または組み合わせ）信号のトランスポートブロックサイズを表すことができるように、
【０３０７】
【数９６】
0005552568.tif 000101
【０３０８】
と
【０３０９】
【数９７】
0005552568.tif 000102
【０３１０】
の両方を考慮するための重み係数とすることができる。αは、範囲が０≦α≦１である、事前定義されたパラメータとすることができる。任意選択的に、αは、より高位のレイヤによって設定され、伝えられたパラメータとすることができる。一実施形態では、デュアルストリームの場合、αは、１／２に等しくすることができる。別の例では、セカンダリトランスポートブロックＥ−ＤＣＨがスケジュールされない場合、またはプリコーディングがＭＩＭＯ  ＵＥにおいて実施されない場合、αは、１とすることができる。
【０３１１】
１６０６において、１６０４において決定された仮想Ｅ−ＤＣＨトランスポートブロックサイズに基づいて、仮想利得係数
【０３１２】
【数９８】
0005552568.tif 000103
【０３１３】
を決定することができる。仮想利得係数
【０３１４】
【数９９】
0005552568.tif 000104
【０３１５】
は、プリコーディング後の信号の利得係数を表すことができる。プリコーディング後の組み合わせ信号の仮想利得係数を生成した後、１６０８において、
【０３１６】
【数１００】
0005552568.tif 000105
【０３１７】
と表すことができる、プリコーディング前のプライマリおよびセカンダリストリームの利得係数を決定するために、仮想利得係数を使用することができる。仮想利得係数に基づいたプリコーディング前のプライマリおよびセカンダリストリームの利得係数の決定は、以下でより詳細に説明される。
【０３１８】
別の例示的な実施形態では、ＵＥは、Ｅ−ＤＰＣＣＨ１およびＥ−ＤＰＣＣＨ２の利得係数（すなわち、
【０３１９】
【数１０１】
0005552568.tif 000106
【０３２０】
および
【０３２１】
【数１０２】
0005552568.tif 000107
【０３２２】
）を個々に計算することができ、その後、利得係数を組み合わせて、信号ポイント
【０３２３】
【数１０３】
0005552568.tif 000108
【０３２４】
における、プリコーディングされたＥ−ＤＰＣＣＨの仮想利得係数を獲得することができる。例えば、プリコーディングされたＥ−ＤＰＣＣＨの仮想利得係数は、
【０３２５】
【数１０４】
0005552568.tif 000109
【０３２６】
と表すことができる。
【０３２７】
別の例示的な実施形態では、ＵＥは、信号ポイント
【０３２８】
【数１０５】
0005552568.tif 000110
【０３２９】
における、プリコーディングされたＥ−ＤＰＣＣＨの仮想利得係数を直接的に計算することができる。例えば、仮想利得係数は、それぞれのＥ−ＴＦＣに関連する係数を仮想Ｅ−ＴＦＣで置き換えることによって、非ＭＩＭＯ  ＵＥのために使用されるのと類似の手順を使用して、計算することができる。例えば、仮想Ｅ−ＴＦＣＩ≦Ｅ−ＴＦＣＩec,boostである場合、第ｍのアンテナ分岐Ｅ−ＤＰＣＣＨの利得係数は、
【０３３０】
【数１０６】
0005552568.tif 000111
【０３３１】
とすることができ、ここで、Ｅ−ＴＦＣＩec,boostは、より高位のレイヤによって伝えることができ、比
【０３３２】
【数１０７】
0005552568.tif 000112
【０３３３】
は、より高位のレイヤによって伝えられたパラメータΔE-DPCCHｍから導出することができる。別の例では、仮想Ｅ−ＴＦＣＩ＞Ｅ−ＴＦＣＩec,boostである場合、利得係数は、
【０３３４】
【数１０８】
0005552568.tif 000113
【０３３５】
によって決定することができ、ここで、ΔT2TPは、より高位のレイヤによって伝えることができ、
【０３３６】
【数１０９】
0005552568.tif 000114
【０３３７】
は、第ｋの物理チャネル上の第ｉの仮想Ｅ−ＴＦＣのＥ−ＤＰＤＣＨベータ利得係数とすることができ、ｋmax,iは、第ｉの仮想Ｅ−ＴＦＣのために使用される物理チャネルの数とすることができる。
【０３３８】
Ｅ−ＤＰＤＣＨの仮想利得係数も、仮想Ｅ−ＴＦＣに基づいて計算することができる。仮想利得係数計算は、プリコーディング後の信号ポイント
【０３３９】
【数１１０】
0005552568.tif 000115
【０３４０】
において、Ｅ−ＤＰＤＣＨ１とＥ−ＤＰＤＣＨ２を混合できることを考慮することができる。仮想Ｅ−ＴＦＣおよびＨＡＲＱオフセット毎に、Ｅ−ＤＰＤＣＨ仮想利得係数βedは、異なる値を有することができる。例えば、βedは、以下で説明するように、計算することができる。
【０３４１】
例示的な実施形態では、Ｅ−ＤＰＤＣＨ１およびＥ−ＤＰＤＣＨ２の利得係数、すなわち、
【０３４２】
【数１１１】
0005552568.tif 000116
【０３４３】
および
【０３４４】
【数１１２】
0005552568.tif 000117
【０３４５】
は、個々に計算することができる。
【０３４６】
【数１１３】
0005552568.tif 000118
【０３４７】
および
【０３４８】
【数１１４】
0005552568.tif 000119
【０３４９】
は、Ｅ−ＴＦＣＩ１およびＥ−ＴＦＣＩ２に対応することができる。利得係数を組み合わせて、信号ポイント
【０３５０】
【数１１５】
0005552568.tif 000120
【０３５１】
における、プリコーディングされたＥ−ＤＰＣＣＨの仮想利得係数を獲得することができる。例えば、Ｅ−ＤＰＤＣＨ仮想係数は、
【０３５２】
【数１１６】
0005552568.tif 000121
【０３５３】
によって決定することができる。
【０３５４】
別の例示的な実施形態では、信号ポイント
【０３５５】
【数１１７】
0005552568.tif 000122
【０３５６】
における、プリコーディングされたＥ−ＤＰＤＣＨの仮想利得係数は、Ｅ−ＴＦＣに関連する係数を仮想Ｅ−ＴＦＣで置き換えることによって、非ＭＩＭＯ  ＵＥにおけるのと類似の手順を使用して、計算することができる。例えば、Ｅ−ＤＰＤＣＨ電力外挿公式を構成する際、第ｉの仮想Ｅ−ＴＦＣについての一時変数
【０３５７】
【数１１８】
0005552568.tif 000123
【０３５８】
は、
【０３５９】
【数１１９】
0005552568.tif 000124
【０３６０】
によって、決定することができる。Ｅ−ＤＰＤＣＨ電力内挿公式を構成する際、第ｉの仮想Ｅ−ＴＦＣについての一時変数
【０３６１】
【数１２０】
0005552568.tif 000125
【０３６２】
は、
【０３６３】
【数１２１】
0005552568.tif 000126
【０３６４】
によって、決定することができ、ここで、Ｌe,iは、第ｉの仮想Ｅ−ＴＦＣのために使用できるＥ−ＤＰＤＣＨの数を表し、Ｋe,iは、上で定義されたような、第ｍのアンテナ分岐上の第ｉの仮想Ｅ−ＴＦＣのトランスポートブロックサイズを表す。
【０３６５】
一実施形態では、
【０３６６】
【数１２２】
0005552568.tif 000127
【０３６７】
である場合、
【０３６８】
【数１２３】
0005552568.tif 000128
【０３６９】
は、０に設定することができる。リファレンスＥ−ＴＦＣ毎に、第ｍのアンテナ分岐上のリファレンス利得係数
【０３７０】
【数１２４】
0005552568.tif 000129
【０３７１】
は、
【０３７２】
【数１２５】
0005552568.tif 000130
【０３７３】
に従って、決定することができる。例えば、量子化された振幅比
【０３７４】
【数１２６】
0005552568.tif 000131
【０３７５】
は、より高位のレイヤによって伝えられた□E-DPDCHmから変換することができる。別の例では、ΔＨＡＲＱは、より高位のレイヤによって設定されたＥ−ＴＦＣＩ1およびＥ−ＴＦＣＩ2に対して異なるＨＡＲＱプロファイルをサポートするためにそれぞれ使用される、ＨＡＲＱオフセットとすることができるΔＨＡＲＱ1およびΔＨＡＲＱ2の関数とすることができる。例えば、
ΔＨＡＲＱ＝ｍｉｎ（ΔＨＡＲＱ1，ΔＨＡＲＱ2）、またはΔＨＡＲＱ＝ｍａｘ（ΔＨＡＲＱ1，ΔＨＡＲＱ2）
である。
【０３７６】
ＨＳ−ＤＰＣＣＨの仮想利得係数βhsの計算は、プリコーディング後の信号ポイント
【０３７７】
【数１２７】
0005552568.tif 000132
【０３７８】
において、プライマリストリーム上のＨＳ−ＤＰＣＣＨを分割して、アンテナ分岐に向かわせることができることを考慮することができる。例えば、βhsは、
【０３７９】
【数１２８】
0005552568.tif 000133
【０３８０】
に基づいて決定することができ、ここで、ＨＳ−ＤＰＣＣＨは、アクティブであり、より高位のレイヤによって設定できるΔΑck、ΔNACK、およびΔCQIの値は、量子化された振幅比Ａhsに変換することができる。信号ポイント
【０３８１】
【数１２９】
0005552568.tif 000134
【０３８２】
における、プリコーディングされたＨＳ−ＤＰＣＣＨの仮想利得係数は、
【０３８３】
【数１３０】
0005552568.tif 000135
【０３８４】
に基づいて決定することができる。
【０３８５】
ＤＰＤＣＨの仮想利得係数も、仮想Ｅ−ＴＦＣに基づいて計算することができる。仮想利得係数計算は、プリコーディング後の信号ポイント
【０３８６】
【数１３１】
0005552568.tif 000136
【０３８７】
において、ＤＰＤＣＨ１とＤＰＤＣＨ２を混合できることを考慮することができる。ＤＰＤＣＨ仮想利得係数計算は、例えば、以下で説明される方法を使用して、決定することができる。第１の例では、
ＤＰＤＣＨ１およびＤＰＤＣＨ２の利得係数
【０３８８】
【数１３２】
0005552568.tif 000137
【０３８９】
および
【０３９０】
【数１３３】
0005552568.tif 000138
【０３９１】
は、個々に計算することができる。
【０３９２】
【数１３４】
0005552568.tif 000139
【０３９３】
および
【０３９４】
【数１３５】
0005552568.tif 000140
【０３９５】
は、ＴＦＣＩ１およびＴＦＣＩ２に対応することができる。
【０３９６】
【数１３６】
0005552568.tif 000141
【０３９７】
および
【０３９８】
【数１３７】
0005552568.tif 000142
【０３９９】
は、例えば、
【０４００】
【数１３８】
0005552568.tif 000143
【０４０１】
を使用して、信号ポイントにおける、プリコーディングされたＥ−ＤＰＣＣＨの仮想利得係数を獲得するために、利用することができる。
【０４０２】
別の例示的な実施形態では、Ｅ−ＤＰＤＣＨについて説明された方法と類似の方法で、信号ポイント
【０４０３】
【数１３９】
0005552568.tif 000144
【０４０４】
における、プリコーディング後の組み合わせＴＦＣとして、仮想ＴＦＣを導入および定義することができる。例えば、仮想ＴＦＣは、
【０４０５】
【数１４０】
0005552568.tif 000145
【０４０６】
と表すことができ、ここで、
【０４０７】
【数１４１】
0005552568.tif 000146
【０４０８】
は、プリコーディング前のプライマリストリーム上のＴＦＣのＥ−ＤＣＨ  ＴＢＳ（例えば、
【０４０９】
【数１４２】
0005552568.tif 000147
【０４１０】
）とすることができ、
【０４１１】
【数１４３】
0005552568.tif 000148
【０４１２】
は、プリコーディング前のセカンダリストリーム上のＴＦＣのＥ−ＤＣＨ  ＴＢＳ（例えば、
【０４１３】
【数１４４】
0005552568.tif 000149
【０４１４】
）とすることができる。
【０４１５】
【数１４５】
0005552568.tif 000150
【０４１６】
は、
【０４１７】
【数１４６】
0005552568.tif 000151
【０４１８】
と表すことができる、プリコーディング後のプライマリアンテナ分岐上の仮想Ｅ−ＴＦＣの仮想Ｅ−ＤＣＨトランスポートブロックサイズ（ＴＢＳ）とすることができる。
【０４１９】
【数１４７】
0005552568.tif 000152
【０４２０】
は、
【０４２１】
【数１４８】
0005552568.tif 000153
【０４２２】
と表すことができる、プリコーディング後のセカンダリアンテナ分岐上の仮想ＴＦＣの仮想ＤＣＨトランスポートブロックサイズ（ＴＢＳ）とすることができる。例えば、
【０４２３】
【数１４９】
0005552568.tif 000154
【０４２４】
は、仮想ＴＦＣＩ1にマッピングすることができ、
【０４２５】
【数１５０】
0005552568.tif 000155
【０４２６】
は、仮想ＴＦＣＩ2にマッピングすることができる。
【０４２７】
【数１５１】
0005552568.tif 000156
【０４２８】
および
【０４２９】
【数１５２】
0005552568.tif 000157
【０４３０】
を使用して、２つ以上のアンテナに割り当てられるプリコーディングされた信号を送信するのに必要なことがある電力量を決定することができる。簡潔にするため、第ｍのアンテナ分岐上の仮想ＴＦＣのＴＢＳを表すために、Ｋmを使用することができる。αは、
【０４３１】
【数１５３】
0005552568.tif 000158
【０４３２】
および
【０４３３】
【数１５４】
0005552568.tif 000159
【０４３４】
が、信号ポイント
【０４３５】
【数１５５】
0005552568.tif 000160
【０４３６】
における、プリコーディング後の混合（または組み合わせ）信号のトランスポートブロックサイズを表すことができるように、
【０４３７】
【数１５６】
0005552568.tif 000161
【０４３８】
と
【０４３９】
【数１５７】
0005552568.tif 000162
【０４４０】
の両方を考慮するための重み係数とすることができる。αは、範囲が０≦α≦１である、事前定義されたパラメータとすることができる。任意選択的に、αは、より高位のレイヤによって設定され、伝えられたパラメータとすることができる。一実施形態では、デュアルストリームの場合、αは、１／２に等しくすることができる。別の例では、セカンダリトランスポートブロックＥ−ＤＣＨがスケジュールされない場合、またはプリコーディングがＭＩＭＯ  ＵＥにおいて実施されない場合、αは、１とすることができる。信号ポイント
【０４４１】
【数１５８】
0005552568.tif 000163
【０４４２】
における、プリコーディングされたＤＰＤＣＨの仮想利得係数は、仮想ＴＦＣに関連する係数に基づいて決定することができる。
【０４４３】
一実施形態では、第ｊの仮想ＴＦＣの利得係数βcおよびβdは、より高位のレイヤによって伝えることができ、変数Ａj、または公称電力関係は、
【０４４４】
【数１５９】
0005552568.tif 000164
【０４４５】
に基づいて決定することができる。別の実施形態では、第ｊの仮想ＴＦＣの利得係数βcおよびβdは、与えられたＴＦＣに関連する係数を仮想ＴＦＣで置き換えることによって、非ＭＩＭＯ  ＵＥにおけるのと類似の手順を使用して、計算することができる。例えば、その場合、
【０４４６】
【数１６０】
0005552568.tif 000165
【０４４７】
、または仮想公称電力関係は、
【０４４８】
【数１６１】
0005552568.tif 000166
【０４４９】
に基づいて決定することができる。さらに、第ｊの仮想ＴＦＣの利得係数は、
【０４５０】
【数１６２】
0005552568.tif 000167
【０４５１】
に基づいて決定することができる。
【０４５２】
次に、デュアルストリーム信号
【０４５３】
【数１６３】
0005552568.tif 000168
【０４５４】
の利得係数は、仮想利得係数
【０４５５】
【数１６４】
0005552568.tif 000169
【０４５６】
に基づいて導出および計算することができる。例を挙げると、プリコーディング前の信号は、
【０４５７】
【数１６５】
0005552568.tif 000170
【０４５８】
と表すことができ、プリコーディング後の信号は、
【０４５９】
【数１６６】
0005552568.tif 000171
【０４６０】
と表すことができ、ここで、
【０４６１】
【数１６７】
0005552568.tif 000172
【０４６２】
である。適切な利得係数を適用した場合、プリコーディング前と後の信号の間の関係は、
【０４６３】
【数１６８】
0005552568.tif 000173
【０４６４】
とすることができる。式７２の結果を式７３に代入し、共通項を消去することによって、残りの関係は、
【０４６５】
【数１６９】
0005552568.tif 000174
【０４６６】
【数１７０】
0005552568.tif 000175
【０４６７】
とすることができる。
【０４６８】
例えば、
【０４６９】
【数１７１】
0005552568.tif 000176
【０４７０】
などの、信号
【０４７１】
【数１７２】
0005552568.tif 000177
【０４７２】
の仮想利得係数は、電力リファレンス
【０４７３】
【数１７３】
0005552568.tif 000178
【０４７４】
に基づいて計算することができる。計算は、プリコーディングされたチャネルは、対応するチャネルのデュアルストリームの混合信号とすることができることを考慮することができる。別の例では、仮想Ｅ−ＴＦＣ、またはＤＰＤＣＨがプリコーディングされる場合の仮想ＴＦＣを、非ＭＩＭＯ  ＵＥのために使用できる異なるチャネル利得係数計算手順に適用することができる。例示的な一実施形態では、信号
【０４７５】
【数１７４】
0005552568.tif 000179
【０４７６】
の利得係数
【０４７７】
【数１７５】
0005552568.tif 000180
【０４７８】
は、
【０４７９】
【数１７６】
0005552568.tif 000181
【０４８０】
に基づいて決定することができる。
【０４８１】
別の実施形態では、プリコーディング行列Ｗは、ユニタリ行列とすることができ、信号
【０４８２】
【数１７７】
0005552568.tif 000182
【０４８３】
の利得係数
【０４８４】
【数１７８】
0005552568.tif 000183
【０４８５】
は、
【０４８６】
【数１７９】
0005552568.tif 000184
【０４８７】
に基づいて決定することができる。
【０４８８】
一実施形態では、プリコーディング行列Ｗは、直交かつ可逆とすることができる。そのため、式７６および式７７に記された関係を維持するために、利得係数の間の関係を、
【０４８９】
【数１８０】
0005552568.tif 000185
【０４９０】
とすることができる。合算およびプリコーディング加重は、線形操作であるので、式７６、式７７、または式７８における、デュアルストリームの利得係数
【０４９１】
【数１８１】
0005552568.tif 000186
【０４９２】
と、仮想利得係数
【０４９３】
【数１８２】
0005552568.tif 000187
【０４９４】
の間の関係を、例えば、Ｅ−ＤＰＤＣＨ、Ｅ−ＤＰＣＣＨ、ＨＳ−ＤＰＣＣＨ、ＤＰＤＣＨなどの、しかし、それらに限定されない、プリコーディングされたチャネルに適用することができる。例えば、Ｅ−ＤＰＤＣＨ、Ｅ−ＤＰＣＣＨ、ＨＳ−ＤＰＣＣＨ、ＤＰＤＣＨなどの、プリコーディングされたチャネルの電力リファレンスおよび利得係数を、例えば、以下の方法に基づいて決定することができる。例えば、様々な実施形態では、式７６、式７８、および／または式７８を使用することができる。例示的な実施形態では、プリコーディングされたチャネルの利得係数は、上で決定された仮想利得係数を式７６に代入することによって決定することができる。別の例では、利得係数は、仮想利得係数を式７７に代入することに基づいて決定することができる。加えて、プリコーディング行列の直交性を維持し、より良い送信ダイバーシティ利得増加を達成するために、いくつかの状況では、
【０４９５】
【数１８３】
0005552568.tif 000188
【０４９６】
であることを考慮して、プリコーディングされたチャネルの利得係数を決定することもできる。
【０４９７】
図１７は、仮想電力リファレンスに基づいたプリコーディング操作の前に、プライマリおよびセカンダリストリームのチャネルに適用できる利得係数を生成する方法を示している。その場合、他のチャネルについての非ＭＩＭＯ利得係数生成を適用して、プライマリおよびセカンダリストリームの利得係数を生成することができる。この例では、１７０２において、例えば、
【０４９８】
【数１８４】
0005552568.tif 000189
【０４９９】
など、ＤＰＣＣＨ１およびＤＰＣＣＨ２の利得係数を決定することができる。１７０４において、ＤＰＣＣＨ１およびＤＰＣＣＨ２がプリコーディングされたかのように、仮想的なストリーム毎の電力リファレンスを決定することができる。例えば、プリコーディングされたチャネルの利得係数は、Ｗがユニタリ行列である場合、ＤＰＣＣＨ１およびＤＰＣＣＨ２の利得係数
【０５００】
【数１８５】
0005552568.tif 000190
【０５０１】
を式７６または式７７に代入することによって、仮想的なストリーム毎の電力リファレンス
【０５０２】
【数１８６】
0005552568.tif 000191
【０５０３】
を獲得することによって、計算することができる。１７０６において、仮想電力リファレンスを使用する非ＭＩＭＯシステムのための利得係数計算に類似した手順に基づいて、プリコーディングされたチャネルのストリーム毎の利得係数を決定することができる。
【０５０４】
ＵＬ電力制御は、推定ＳＩＲ（ＳＩＲest）を生成し、目標ＳＩＲ（ＳＩＲtarget）を生成し、ＳＩＲestとＳＩＲtargetを比較することによって１つまたは複数のＴＰＣコマンドを生成することによって、達成することができる。ＵＬ電力制御メカニズムは、ノードＢ上で実施することができる。一実施形態では、データストリームなど、複数の送信ストリームのために、単一のＳＩＲestと単一のＳＩＲtargetを使用することができる。
【０５０５】
ＤＰＣＣＨ毎に、推定ＳＩＲを生成することができ、個々の推定ＳＩＲに基づいて、電力制御ループのための単一のＳＩＲ推定を生成することができる。例えば、ＳＩＲｅｓｔ１およびＳＩＲｅｓｔ２は、それぞれ、ＤＰＣＣＨ1およびＤＰＣＣＨ2のＳＩＲ推定を表すとする。ＳＩＲestは、ＳＩＲest1とＳＩＲest2の加重平均に基づいて計算することができ、例えば、ＳＩＲestは、ａ×ＳＩＲest1＋（１−ａ）×ＳＩＲest2とすることができ、ここで、パラメータａは、０＜ａ＜１とすることができ、１つまたは複数の基準に基づいて決定することができる。パラメータａは、ＳＩＲest1およびＳＩＲest2の値に基づいて決定することができる。例えば、ＳＩＲestは、ｍｉｎ（ＳＩＲest1，ＳＩＲest2）とすることができ、このときは、ＳＩＲest1＞ＳＩＲest2である場合、ａ＝０であり、それ以外の場合、ａは１とすることができる。あるいは、ＳＩＲestは、ｍａｘ（ＳＩＲest1，ＳＩＲest2）とすることができ、このときは、ＳＩＲest1＞ＳＩＲest2である場合、ａ＝１であり、それ以外の場合、ａは０とすることができる。また、パラメータａは、データストリームの重要性、サービスのタイプ、またはＳＩＲest1およびＳＩＲest2の分散（ｖａｒｉａｎｃｅ）などの、ＳＩＲest1およびＳＩＲest2の品質に基づいて決定することができる。例えば、より良い品質（例えば、より小さな分散）を有することができるＳＩＲ推定に、より大きな重みを割り当てることができる。例えば、ａが１に等しい場合、プライマリストリームに基づいて、ＳＩＲtestを決定することができる。この例では、ＳＩＲtargetは、ＳＩＲ1に等しいとすることができる。
【０５０６】
ＳＩＲestは、Ｐｓ＿ｃｏｍｂ／Ｐｉ＿ｃｏｍｂに基づいて計算することもでき、ここで、Ｐｓ＿ｃｏｍｂは、２つのストリームの組み合わせ信号電力とすることができ、Ｐｉ＿ｃｏｍｂは、組み合わせ干渉電力とすることができる。Ｐｓ＿ｃｏｍｂおよびＰｉ＿ｃｏｍｂは、２つのデータストリームに対応することができる、信号電力および干渉電力の加重平均を使用して、計算することができる。
【０５０７】
ＤＰＣＣＨ毎に、目標ＳＩＲを計算することができ、個々の目標ＳＩＲに基づいて、電力制御ループのための単一の目標ＳＩＲを生成することができる。ＳＩＲｔａｒｇｅｔ１およびＳＩＲｔａｒｇｅｔ２は、それぞれ、データストリーム１および２の目標ＳＩＲを表すとする。目標ＳＩＲは、ＲＮＣによるデータＢＬＥＲの長期測定に基づいて生成することができる。例えば、ＵＬ電力制御ループのための単一のＳＩＲ目標は、ＳＩＲtarget1とＳＩＲｔarget2の加重平均に基づいて生成することができる。
【０５０８】
ＳＩＲtargetは、ａ×ＳＩＲtarget1＋（１−ａ）×ＳＩＲtarget2に基づいて計算することができ、ここで、パラメータａは、０≦ａ≦１とすることができ、１つまたは複数の基準に基づいて決定することができる。パラメータａは、ＳＩＲtarget1およびＳＩＲtarget2の値に基づいて決定することができる。例えば、ＳＩＲtargetは、ｍｉｎ（ＳＩＲtarget1，ＳＩＲtarget2）とすることができ、このときは、ＳＩＲtarget1＞ＳＩＲtarget2である場合、ａは０とすることができ、それ以外の場合、ａは１とすることができる。この例では、ＵＬ干渉を減少させて、システム容量を増加させることができる。別の例では、ＳＩＲtargetは、ｍａｘ（ＳＩＲtarget1，ＳＩＲtarget2）とすることができ、このときは、ＳＩＲtarget1＞ＳＩＲtarget2である場合、ａは１とすることができ、それ以外の場合、ａは０とすることができる。この例ではＵＬ干渉が増加することがあるが、大量のデータを送信するＵＥには有益なことがある。他の可能な基準は、データストリームの重要性またはサービスのタイプに基づくことができる。例えば、ＳＩＲtargetは、プライマリストリームに基づいて決定することができる。例えば、ａが１に等しい場合、ＳＩＲtargetは、ＳＩＲtarget1に等しくなることができる。
【０５０９】
ＳＩＲtargetは、組み合わせＢＬＥＲに基づいて計算することもできる。組み合わせＢＬＥＲは、両方のデータストリームで受信したブロックの総数に対するデータストリームのブロック誤りの総数の比とすることができる。
【０５１０】
一実施形態では、ＤＰＣＣＨ1およびＤＰＣＣＨ2など、複数のチャネルを同時に制御するために、１つの電力制御ループを実施することができる。例えば、上で説明したように、ＳＩＲestおよびＳＩＲtargetを生成することができ、単一のＴＰＣコマンドを、ＳＩＲestおよびＳＩＲtargetに基づいて生成することができ、ＵＬ電力制御ループ上で実行することができる。
【０５１１】
あるいは、複数の推定ＳＩＲおよび複数の目標ＳＩＲに基づいて、複数のＴＰＣコマンドを生成することができる。例えば、２つのＳＩＲtargetおよびＳＩＲestを使用して、１つのセルから２組のＴＰＣコマンドを生成することができる。ＴＰＣ＿ｃｍｄ（ｉ，ｊ）が、アクティブセット内の第ｊのセルからの第ｉのストリームのために生成されたＴＰＣコマンドを表すとする。単一のＴＰＣコマンド、ＴＰＣ＿ｃｍｄを生成するために、いくつかの方法が存在し得る。例えば、セルｊは、例えば基地局またはＵＥにおいて、ＴＰＣ＿ｃｍｄ（１，ｊ）とＴＰＣ＿ｃｍｄ（２，ｊ）を組み合わせて、組み合わせ電力制御コマンドＴＰＣ＿ｓｃｍｂ（ｊ）を生成することができる。その場合、｛ＴＰＣ＿ｓｃｍｂ（ｊ）｝は、例えばＵＥにおいて、組み合わせることができる。別の例では、アクティブセットのストリームおよびセルについての｛ＴＰＣ＿ｓｃｍｂ（ｉ，ｊ）｝は、例えばＵＥにおいて、直接的に組み合わせることができる。また別の例では、ＴＰＣ＿ｃｍｄ（１，ｊ）とＴＰＣ＿ｃｍｄ（２，ｊ）を組み合わせて、第ｉのストリームについてのＴＰＣ＿ｃｍｄ（ｉ）を生成することができる。その場合、ストリーム１および２についてのＴＰＣ＿ｃｍｄ（１）およびＴＰＣ＿ｃｍｄ（２）を組み合わせて、ストリーム組み合わせコマンドＴＰＣ＿ｓｃｍｂを形成することができる。
【０５１２】
一実施形態では、アクティブセットのセルからのＴＰＣを組み合わせるためのアルゴリズムは、複数のストリームについてのＴＰＣを組み合わせるためのアルゴリズムとは異なることができる。例えば、２つの異なるストリームについての２つのＴＰＣコマンドは、ＴＰＣ＿ｓｃｍｄ＝ｍｉｎ（ＴＰＣ＿ｃｍｄ（１），ＴＰＣ＿ｃｍｄ（２））、および／またはＴＰＣ＿ｓｃｍｄ＝ｍａｘ（ＴＰＣ＿ｃｍｄ（１），ＴＰＣ＿ｃｍｄ（２））に基づいて、組み合わせることができる。加えて、ＴＰＣコマンドは、スループット、待ち時間、および／またはアプリケーション重要性などの要因に基づいて、組み合わせることができる。
【０５１３】
一実施形態では、ＤＰＣＣＨ1およびＤＰＣＣＨ2など、複数のチャネルを相互依存させて（ｉｎｔｅｒｐｅｄｅｎｔｌｙ）制御するために、２つなど、複数の電力制御ループを実施することができる。例えば、２つのＵＬ電力制御ループが独立に動作する場合、アクティブセット内のセルは、受信したアップリンクＤＰＣＣＨのＳＩＲest,iを推定することができる。その後、アクティブセット内のセルは、第ｉ組のＴＰＣコマンドを生成し、それらのコマンドをスロット毎に１回送信することができる。例えば、ＳＩＲest,i＞ＳＩＲtarget,iである場合、ＴＰＣコマンドｉは、「０」とすることができ、ＳＩＲest,i＜ＳＩＲtarget,iである場合、ＴＰＣコマンドｉは、「１」とすることができる。
【０５１４】
ＴＰＣコマンド組み合わせ期間中に、１つまたは複数のＴＰＣコマンドを受信すると、ＵＥは、単一のＴＰＣコマンド、ＴＰＣ＿ｃｍｄ（ｉ）を導出することができる。組み合わせＴＰＣコマンド、ＴＰＣ＿ｃｍｄ（ｉ）を導出した後、ＵＥは、ΔDPCCH,i（ｄＢ単位）に基づいて、アップリンクＤＰＣＣＨ，ｉの送信電力を調整することができ、ΔDPCCH,i（ｄＢ単位）は、ΔDPCCH,i＝ΔTPC,i×ＴＰＣ＿ｃｍｄ（ｉ）に基づいて、獲得することができる。
【０５１５】
例えば、ΔTPC,iは、ＵＥ固有のより高位のレイヤのパラメータ「ＴＰＣ−ＳｔｅｐＳｉｚｅ，ｉ」から導出できる、レイヤ１パラメータとすることができる。ＴＰＣ−ＳｔｅｐＳｉｚｅ，ｉは、同じ値を含むように設定することができ、またはより高位のレイヤによって２つのＵＬ電力制御ループ別に独立に設定することができる。ＴＰＣ−ＳｔｅｐＳｉｚｅ，ｉは、やはり同じ値を含むように設定することができ、ΔTPC,iは、ＵＬ電力制御ループの間のオフセットを追加することによって、異なる値を含むことができる。同様に、第ｉのストリームについてのＴＰＣコマンド、ＴＰＣ＿ｃｍｄ（ｉ）は、ＴＰＣコマンド｛ＴＰＣ＿ｃｍｂ（１，ｊ）｝と｛ＴＰＣ＿ｃｍｂ（２，ｊ）｝を組み合わせることによって、生成することができる。
【０５１６】
上では特徴および要素を特定の組み合わせで説明したが、各特徴または要素は、単独で使用でき、または他の特徴および要素との任意の組み合わせで使用できることを当業者であれば理解されよう。加えて、本明細書で説明した方法は、コンピュータまたはプロセッサによって実行する、コンピュータ可読媒体内に包含された、コンピュータプログラム、ソフトウェア、またはファームウェアで実施することができる。コンピュータ可読媒体の例は、（有線接続または無線接続を介して送信される）電子信号と、コンピュータ可読記憶媒体とを含む。コンピュータ可読記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびデジタル多用途ディスク（ＤＶＤ）などの光媒体を含むが、これらに限定されない。ＷＴＲＵ、ＵＥ、端末、基地局、ＲＮＣ、または任意のホストコンピュータにおいて使用する無線周波数送受信機を実施するために、ソフトウェアと連携するプロセッサを使用することができる。
【図１Ａ】
0005552568.tif 000194
【図１Ｂ】
0005552568.tif 000195
【図１Ｃ】
0005552568.tif 000196
【図２】
0005552568.tif 000197
【図３】
0005552568.tif 000198
【図４】
0005552568.tif 000199
【図５】
0005552568.tif 000200
【図６】
0005552568.tif 000201
【図７】
0005552568.tif 000202
【図８】
0005552568.tif 000203
【図９】
0005552568.tif 000204
【図１０】
0005552568.tif 000205
【図１１】
0005552568.tif 000206
【図１２】
0005552568.tif 000207
【図１３】
0005552568.tif 000208
【図１４】
0005552568.tif 000209
【図１５】
0005552568.tif 000210
【図１６】
0005552568.tif 000211
【図１７】
0005552568.tif 000212